(57)【要約】  ＲＦＩＤを用いて有価物等の物品を検査する検査システムにおいて、ＲＦタグが読み取れない物品があることを検知できる検査システムを提供する。重量差により種類が特定可能な商品（９）を検査対象とし、商品（９）の情報を記録したＲＦタグ（８）を備えた商品（９）を検査する検査システムであって、載置台（２２）上に置かれた商品（９）のＲＦタグ（８）から商品（９）の情報を読み取るＲＦ読取装置（１）と、商品（９）の重量を計測記録する重量計測装置（２）と、重量計測装置（２）の計測結果を用いて、載置台（２２）上の商品（９）の総重量を把握する管理制御装置（３）とを有する。管理制御装置（３）は、ＲＦ読取装置（１）から得た情報から商品（９）の規格上の重量を基にして載置台（２２）上の商品（９）の重量を把握すると共に、重量計測装置（２）の計測結果を用いて商品（９）の載置台（２２）上の総重量を計測し、ＲＦ読取装置（１）から得た商品（９）の計算上の重量と、重量計測装置（２）の計測結果から得た商品（９）の総重量との比較を行い、商品（９）の総個数が一致しているかどうかを推定する機能を備えている。
2018092501.tif 000002
【特許請求の範囲】
【請求項１】
重量差により種類が特定可能な有価物を検査対象とし、当該有価物の情報を記録したＲＦタグを備えた有価物を検査する検査システムであって、
台上に置かれた前記有価物のＲＦタグから前記有価物の情報を読み取るＲＦ読取装置と、
前記有価物の重量を計測記録する重量計測装置と、
前記重量計測装置の計測結果を用いて、台上の前記有価物の総重量を把握する管理制御装置と、を有し、
前記管理制御装置は、ＲＦ読取装置から得た情報から前記有価物の規格上の重量を基にして台上の前記有価物の重量を把握すると共に、前記重量計測装置の計測結果を用いて当該有価物の台上の総重量を計測し、前記ＲＦ読取装置から得た前記有価物の計算上の重量と、前記重量計測装置の計測結果から得た前記有価物の総重量との比較を行い、有価物の総個数が一致しているかどうかを推定する機能を備えた、検査システム。
【請求項２】
請求項１に記載の有価物を検査する検査システムであって、
前記ＲＦタグの情報は、当該有価物の重量情報を含み、
前記管理制御装置は、ＲＦ読取装置から得た重量情報から台上の前記有価物の重量を把握する機能を備えた、検査システム。
【請求項３】
請求項１または２に記載の有価物を検査する検査システムであって、
前記管理制御装置は、ＲＦ読取装置からの情報から台上の前記有価物の種類毎の重量を把握すると共に、前記重量計測装置の計測結果を用いて当該有価物の台上の総重量を特定し、前記ＲＦ読取装置から得た前記有価物の種類毎の重量の総和に対する、前記重量計測装置の計測結果から得た前記有価物の総重量の超過重量を把握する機能を備えた、検査システム。
【請求項４】
請求項３に記載の有価物を検査する検査システムであって、
前記管理制御装置は、前記超過重量に基づき、前記ＲＦ読取装置から得た前記有価物の種類毎の重量の総和と前記重量計測装置の計測結果から得た前記有価物の総重量との不一致の原因となる前記有価物の種類、あるいは不一致の原因とはならない前記有価物の種類を特定する機能を備えた、検査システム。
【請求項５】
請求項１から４のいずれかに記載の有価物を検査する検査システムであって、
前記管理制御装置は、前記ＲＦ読取装置からの情報から台上の前記有価物の総金額を把握する機能を備えた、検査システム。
【請求項６】
ＲＦタグを備えた有価物を検査する検査システムであって、
前記有価物に備えられた前記ＲＦタグから前記有価物の情報を読み取るＲＦ読取装置と、
前記有価物の重量を計測する重量計測装置と、
前記重量計測装置の計測結果を用いて、前記有価物の総重量を把握する管理制御装置と、を有し、
前記管理制御装置は、前記ＲＦ読取装置で読み取られた情報に基づいて前記有価物の重量を求め、求めた重量と前記重量計測装置で計測された重量とを比較して、両者が一致しているか否かを判定する、検査システム。
【請求項７】
前記管理制御装置は、前記ＲＦ読取装置で読み取られた情報に基づいて前記有価物の価格を求め、求めた価格の情報を出力する、請求項６に記載の検査システム。
【請求項８】
前記有価物の前記ＲＦタグには、当該有価物の価格の情報が記憶されており、
前記管理制御装置は、前記ＲＦ読取装置で読み取られた情報に従って前記有価物の価格を求める、請求項７に記載の検査システム。
【請求項９】
前記有価物の前記ＲＦタグには、当該有価物の種類を特定する情報が記憶されており、
前記検査システムは、さらに、前記有価物の種類を特定する情報と、当該種類の価格とを対応付けて記憶する記憶装置を備え、
前記管理制御装置は、前記記憶装置を参照して、前記ＲＦ読取装置で読み取られた情報に対応づけられた価格を読み出すことにより前記有価物の価格を求める、請求項７に記載の検査システム。
【請求項１０】
請求項７〜９のいずれかに記載の検査システムと、
前記管理制御装置が出力する価格の情報に基づいて、会計処理を行うレジ装置と、
を備えた、レジシステム。
【請求項１１】
所定の場所に置かれた前記物体のＲＦタグを読み取るＲＦ読取手段と、
前記所定の場所に置かれた前記物体の少なくとも数を、ＲＦＩＤ以外の方法で検知する検知手段と、
前記ＲＦ読取手段にて前記ＲＦタグが読み取られた前記物体の数が前記検知手段で検知された数と一致しない場合に警報を生成する警報手段と、
を備えた、検査システム。
【請求項１２】
前記検知手段は、所定の場所に置かれた前記物体の重量を計測する重量計測装置であり、重量によって前記所定の場所に置かれた前記物体の少なくとも数を検知する、請求項１１に記載の検査システム。
【請求項１３】
前記警報手段は、前記ＲＦ読取手段によって読み取ったＲＦタグの情報に基づいて、所定の場所に置かれた前記物体の各々の重量を把握して、把握された当該重量と、前記重量計測装置にて計測された前記重量と比較することで、前記ＲＦ読取手段にて前記ＲＦタグが読み取られた前記物体の数が前記検知手段で検知された数と一致するか否かを判定する、請求項１２に記載の検査システム。
【発明の詳細な説明】
【技術分野】
【０００１】
本発明は、有価物等の物品を検査する検査システム、及びそれを含むレジシステムに関する。
【背景技術】
【０００２】
従来、ＲＦＩＤを利用したレジシステムが提案されている。このレジシステムでは、有価物としての商品にＲＦタグが備えられ、会計テーブルにはＲＦリーダが備えられる。ＲＦタグには、商品を特定する情報や価格の情報が記憶されており、会計テーブルのＲＦリーダで商品のＲＦタグを読み取ることで商品の金額（価格）を特定できる。また、ＲＦＩＤを用いることで、複数の商品がある場合にもＲＦリーダでそれらのＲＦタグを一括して読み取ることができるため、各商品のバーコードを読み取ることによって各商品の価格を特定していた従来方式と比較して格段に速く総金額を特定できる。
【発明の概要】
【発明が解決しようとする課題】
【０００３】
しかしながら、商品に付されたＲＦタグが故障している場合、ＲＦタグ内の情報が不正に書き換えられている場合、何らかの理由で商品にＲＦタグが付されていない場合等には、購入者が購入しようとしている商品の価格をＲＦリーダで把握することができない。また、ＲＦタグを一括して読み取る商品が複数ある場合には、ＲＦリーダでＲＦタグを読み取れない商品が存在することを店員が把握できないことがある。よって、ＲＦＩＤのみに頼って総金額を特定しようとするとＲＦタグが読み取れない商品がある場合には、本来の総金額よりも少額が特定されてしまうことになり、店側の損失となる。【０００４】
本発明は、ＲＦＩＤを用いて有価物等の物品を検査する検査システムにおいて、ＲＦタグが読み取れない物品があることを検知できる検査システムを提供することを目的とする。
【課題を解決するための手段】
【０００５】
そこで、本発明では、ＲＦタグから読み取った情報から計算される有価物の重量と、実際の有価物の重量とが一致しているかどうかを判定する検査装置を提供する。【０００６】
本発明の一態様の検査システムは、重量差により種類が特定可能な有価物を検査対象とし、当該有価物の情報を記録したＲＦタグを備えた有価物を検査する検査システムであって、台上に置かれた前記有価物のＲＦタグから前記有価物の情報を読み取るＲＦ読取装置と、前記有価物の重量を計測記録する重量計測装置と、前記重量計測装置の計測結果を用いて、台上の前記有価物の総重量を把握する管理制御装置とを有し、前記管理制御装置は、ＲＦ読取装置から得た情報から前記有価物の規格上の重量を基にして台上の前記有価物の重量を把握すると共に、前記重量計測装置の計測結果を用いて当該有価物の台上の総重量を計測し、前記ＲＦ読取装置から得た前記有価物の計算上の重量と、前記重量計測装置の計測結果から得た前記有価物の総重量との比較を行い、有価物の総個数が一致しているかどうかを推定する機能を備えた構成を有している。【０００７】
この構成により、ＲＦタグの情報に基づいて把握された重量と重量計測装置で計測された実際の重量とが比較されるので、ＲＦタグの読み取りができない有価物があった場合には、それらの重量が一致しないことになる。よって、ＲＦタグの読み取りができない有価物がある場合に、その存在を検知できる。【０００８】
上記の検査システムにおいて、前記ＲＦタグの情報は、当該有価物の重量情報を含んでいてよく、前記管理制御装置は、ＲＦ読取装置から得た重量情報から台上の前記有価物の重量を把握する機能を備えていてよい。【０００９】
この構成により、管理制御装置は、ＲＦタグから直接その有価物の規格上の重量を把握できる。【００１０】
上記の検査システムにおいて、前記管理制御装置は、ＲＦ読取装置からの情報から台上の前記有価物の種類毎の重量を把握すると共に、前記重量計測装置の計測結果を用いて当該有価物の台上の総重量を特定し、前記ＲＦ読取装置から得た前記有価物の種類毎の重量の総和に対する、前記重量計測装置の計測結果から得た前記有価物の総重量の超過重量を把握する機能を備えていてよい。【００１１】
この構成により、ＲＦタグの情報に基づいて把握された重量と重量計測装置で計測された実際の重量とが一致しない場合に、重量計測装置で計測された実際の重量の超過分を把握できる。【００１２】
上記の検査システムにおいて、前記管理制御装置は、前記超過重量に基づき、前記ＲＦ読取装置から得た前記有価物の種類毎の重量の総和と前記重量計測装置の計測結果から得た前記有価物の総重量との不一致の原因となる前記有価物の種類、あるいは不一致の原因とはならない前記有価物の種類を特定する機能を備えていてよい。【００１３】
この構成により、管理制御装置は有価物の種類毎の重量を把握するので、重量計測装置にて計測された総重量の超過重量を把握することで、どの種類の有価物のＲＦタグが読み取れており、どの種類の有価物のＲＦタグが読み取れていないかを特定できる。【００１４】
上記の検査システムにおいて、前記管理制御装置は、前記ＲＦ読取装置からの情報から台上の前記有価物の総金額を把握する機能を備えていてよい。【００１５】
この構成により、台上の有価物の総金額が把握されるので、この総金額を用いて会計処理を行うことができる。【００１６】
本発明の他の態様の検査システムは、ＲＦタグを備えた有価物を検査する検査システムであって、前記有価物に備えられた前記ＲＦタグから前記有価物の情報を読み取るＲＦ読取装置と、前記有価物の重量を計測する重量計測装置と、前記重量計測装置の計測結果を用いて、前記有価物の総重量を把握する管理制御装置とを有し、前記管理制御装置は、前記ＲＦ読取装置で読み取られた情報に基づいて前記有価物の重量を求め、求めた重量と前記重量計測装置で計測された重量とを比較して、両者が一致しているか否かを判定する。【００１７】
この構成により、ＲＦタグから求めた重量と重量計測装置で計測された重量とを比較するので、両者が一致しない場合にはＲＦタグの読み取りができない有価物が存在することを把握できる。【００１８】
上記の検査システムにおいて、前記管理制御装置は、前記ＲＦ読取装置で読み取られた情報に基づいて前記有価物の価格を求め、求めた価格の情報を出力してよい。【００１９】
この構成により、価格の情報が出力されるので、出力された価格の情報を用いて有価物の会計処理を行うことができる。【００２０】
上記の検査システムにおいて、前記有価物の前記ＲＦタグには、当該有価物の価格の情報が記憶されていてよく、前記管理制御装置は、前記ＲＦ読取装置で読み取られた情報に従って前記有価物の価格を求めてよい。【００２１】
この構成により、ＲＦタグから直接価格の情報を読み取ることができる。【００２２】
上記の検査システムにおいて、前記有価物の前記ＲＦタグには、当該有価物の種類を特定する情報が記憶されていてよく、前記検査システムは、さらに、前記有価物の種類を特定する情報と、当該種類の価格とを対応付けて記憶する記憶装置を備えていてよく、前記管理制御装置は、前記記憶装置を参照して、前記ＲＦ読取装置で読み取られた情報に対応づけられた価格を読み出すことにより前記有価物の価格を求めてよい。【００２３】
この構成により、ＲＦタグに記憶された情報を基に記憶装置を参照することで、有価物の価格を求めることができる。【００２４】
本発明のさらに別の態様はレジシステムであって、このレジシステムは、上記の検査システムと、前記管理制御装置が出力する価格の情報に基づいて、会計処理を行うレジ装置とを備えた構成を有している。【００２５】
この構成により、ＲＦＩＤと重量計測装置とを用いてすべての有価物に有効なＲＦタグが備えられていることを検査するとともに、ＲＦタグに記憶されている価格の情報を用いて会計処理を行うことができる。【００２６】
本発明のさらに別の態様の検査システムは、所定の場所に置かれた前記物体のＲＦタグを読み取るＲＦ読取手段と、前記所定の場所に置かれた前記物体の少なくとも数を、ＲＦＩＤ以外の方法で検知する検知手段と、前記ＲＦ読取手段にて前記ＲＦタグが読み取られた前記物体の数が前記検知手段で検知された数と一致しない場合に警報を生成する警報手段とを備えた構成を有している。【００２７】
この構成により、有効なＲＦタグを有していない物品が所定の場所に置かれた場合に警告を生成できる。【００２８】
上記の検査システムにおいて、前記検知手段は、所定の場所に置かれた前記物体の重量を計測する重量計測装置であってよく、重量によって前記所定の場所に置かれた前記物体の少なくとも数を検知してよい。【００２９】
この構成により、重量に基づいて物体の数を検知できる。【００３０】
上記の検査システムにおいて、前記警報手段は、前記ＲＦ読取手段によって読み取ったＲＦタグの情報に基づいて、所定の場所に置かれた前記物体の各々の重量を把握して、把握された当該重量と、前記重量計測装置にて計測された前記重量と比較することで、前記ＲＦ読取手段にて前記ＲＦタグが読み取られた前記物体の数が前記検知手段で検知された数と一致するか否かを判定してよい。【００３１】
この構成により、重量に基づいて数の不一致を判定して警報を生成できる。
【図面の簡単な説明】
【００３２】
【図１】図１は、本発明の第１の実施の形態のレジシステムが適用された店舗のレジを示す図である。
【図２】図２は、本発明の第１の実施の形態の検査システムを含むレジシステムの構成を示すブロック図である。
【図３】図３は、本発明の第１の実施の形態のＲＦタグに記憶されている情報を示す図である。
【図４】図４は、本発明の第１の実施の形態の管理制御装置における処理を説明する図である。
【図５】図５は、本発明の第２の実施の形態のＲＦタグに記憶される情報を示す図である。
【図６】図６は、本発明の第２の実施の形態の管理制御装置における処理を説明する図である。
【図７】図７は、第３の実施の形態における検査システムの構成を示す図である。
【図８】図８は、第３の実施の形態における遊技用貨幣の斜視図である。
【図９】図９は、第３の実施の形態における遊技用貨幣の側面図である。
【図１０】図１０は、第３の実施の形態における複数の遊技用貨幣を撮影して得られた画像の例を示す図である。
【図１１】図１１は、第３の実施の形態におけるコード情報の構成を説明するための図である。
【図１２】図１２は、第３の実施の形態における検査装置の構成を示すブロック図である。
【図１３】図１３は、第３の実施の形態におけるケースの斜視図である。
【図１４】図１４は、第３の実施の形態における変形例のケースの斜視図である。
【図１５】図１５は、第３の実施の形態における変形例のケースの平面図である。
【図１６】図１６は、第３の実施の形態における遊技用貨幣の流通とともに検査システムの利用態様の例を説明する図である。
【図１７】図１７は、第３の実施の形態における使用管理装置に記憶される情報の内容の例を示す図である。
【図１８】図１８は、第３の実施の形態における読み出される情報の内容の例を示す図である。
【図１９】図１９は、第３の実施の形態における第１の合否判定方法を説明する図である。
【図２０】図２０は、第３の実施の形態における第２の合否判定方法を説明する図である。
【図２１】図２１は、第３の実施の形態における第３の合否判定方法を説明する図である。
【図２２】図２２は、第３の実施の形態における第４の合否判定方法を説明する図である。
【図２３】図２３は、第３の実施の形態における第５の合否判定方法を説明する図である。
【図２４】図２４は、第３の実施の形態における合否判定の結果（合格）を示す合否結果表示画面の例を示す図である。
【図２５】図２５は、第３の実施の形態における合否判定の結果（不合格）を示す合否結果表示画面の例を示す図である。
【図２６】図２６は、第３の実施の形態における検査装置のＲＦＩＤアンテナの変形例を示す図である。
【図２７】図２７は、第３の実施の形態における変形例の遊技用貨幣の側面図である。
【図２８】図２８は、第３の実施の形態における変形例の遊技用貨幣の側断面図である。
【図２９】図２９は、第３の実施の形態における変形例の遊技用貨幣の斜視図である。
【図３０】図３０は、第３の実施の形態における変形例の遊技用貨幣の側面図である。
【図３１】図３１は、第３の実施の形態における変形例の遊技用貨幣の平面図である。
【図３２】図３２は、第３の実施の形態における積み重ねられた遊技用貨幣を撮影して得られた画像の例を示す図である。
【図３３】図３３は、第３の実施の形態における変形例の検査システムの構成を示す図である。
【図３４】図３４は、第３の実施の形態における変形例の検査システムの構成を示す図である。
【図３５】図３５は、第４の実施の形態における検査システムの構成を示す図である。
【図３６】図３６は、第４の実施の形態における検査装置の構成を示すブロック図である。
【図３７】図３７は、第４の実施の形態におけるケースの斜視図である。
【図３８】図３８、第４の実施の形態における変形例のケースの斜視図である。
【図３９】図３９は、第４の実施の形態における変形例のケースの平面図である。
【図４０】図４０は、第４の実施の形態における遊技用貨幣の側断面図である。
【図４１】図４１は、第４の実施の形態における積み重ねられた遊技用貨幣を撮影して得られた画像の例を示す図である。
【図４２】図４２は、第４の実施の形態における合否判定の結果（合格）を示す合否結果表示画面の例を示す図である。
【図４３】図４３は、第４の実施の形態における合否判定の結果（不合格）を示す合否結果表示画面の例を示す図である。
【図４４】図４４は、第４の実施の形態における遊技用貨幣の流通とともに検査システムの利用態様の例を説明する図である。
【図４５】図４５は、第４実施の形態の別の実施の形態における検査装置の構成を示す図である。
【図４６】図４６は、第５の実施の形態の遊技用貨幣を収容する遊技用貨幣トレイの平面図である。
【図４７】図４７は、第５の実施の形態のＲＦリーダのアンテナを示す図である。
【図４８】図４８は、第５の実施の形態の溝の拡大平面図及び正面方向の断面図である。
【図４９】図４９は、第５の実施の形態の検査システムの全体構成を示す図である。
【図５０】図５０は、第５の実施の形態の遊技用貨幣トレイの他の例を示す平面図である。
【図５１】図５１は、第５の実施の形態の遊技用貨幣トレイのさらに他の例を示す平面図である。
【図５２】図５２は、第５の実施の形態の遊技用貨幣トレイのさらに他の例を示す平面図である。
【図５３】図５３は、第５の実施の形態のＲＦアンテナの他の構成を示す図である。
【図５４】図５４は、第５の実施の形態の検知手段としてラインセンサを用いる遊技用貨幣トレイの１つの溝を示す図である。
【図５５】図５５は、図５４の例の検査システム６００の全体構成を示す図である。
【図５６】図５６は、第５の実施の形態の検知手段としてスキャナを用いる遊技用貨幣トレイの１つの溝を示す図である。
【図５７】図５７は、図５６の例の検査システム６００の全体構成を示す図である。
【図５８】図５８は、第５の実施の形態の検知手段としてレーザ測距器を用いる遊技用貨幣トレイの１つの溝を示す図である。
【図５９】図５９は、図５８の例の検査システム６００の全体構成を示す図である。
【図６０】図６０は、第５の実施の形態の検知手段として重量計を用いる遊技用トレイの１つの溝を示す図である。
【図６１】図６１は、図６０の例の検査システム６００の全体構成を示す図である。
【図６２】図６２は、第５の実施の形態のスペーサによって溝の空いているスペースを埋めた状態を示す図である。
【図６３】図６３は、図６２の例の検査システム６００の全体構成を示す図である。
【図６４】図６４は、第５の実施の形態のＲＦタグを内蔵した物体を検査する検査システムの全体構成を示す図である。
【発明を実施するための形態】
【００３３】
以下、図面を参照して本発明の実施の形態を説明する。なお、以下に説明する実施の形態は、本発明を実施する場合の一例を示すものであって、本発明を以下に説明する具体的構成に限定するものではない。本発明の実施にあたっては、実施の形態に応じた具体的構成が適宜採用されてよい。
【００３４】
＜＜第１の実施の形態＞＞
図１は、本発明の第１の実施の形態のレジシステムが適用された店舗のレジを示す図である。店舗のレジでは、会計テーブルＴを挟んで店員Ｓと客Ｃが相対している。客Ｃは購入したい有価物としての商品９を会計テーブルＴの載置台２１に載せて、店員Ｓに会計処理を依頼する。なお、本実施の形態のレジシステムを採用することで、店員Ｓを不要とすることができ、無人のセルフレジを実現することも可能である。
【００３５】
会計テーブルＴには、載置台２１が会計テーブルＴの表面とほぼ同一面となるように重量計測装置２が会計テーブルＴに埋め込まれる。載置台２１の内部には、ＲＦ読取装置としてのＲＦリーダ１のＲＦアンテナ１１が埋め込まれる。なお、ＲＦアンテナ１１は、載置台２１の下部、あるいは他の個所に設けられてもよく、載置台２１上の商品９のＲＦタグ８を読み取ることができるように設置されていればよい。
【００３６】
会計テーブルＴには、レジ装置５が設置される。ＲＦアンテナ１１を含むＲＦリーダ１、載置台２１を含む重量計測装置２、及びレジ装置５はそれぞれ管理制御装置３に接続される。管理制御装置３はコンピュータであり、ＲＦリーダ１及び重量計測装置２から情報を受け取るとともに、レジ装置５に対して情報を出力する。また、管理制御装置３には、記憶装置４が接続される。
【００３７】
管理制御装置３は、ＲＦリーダ１及び重量計測装置２からの情報に基づいて、載置台２１に載せられた商品の価格を求めて、レジ装置５に出力する。レジ装置５は、管理制御装置３から得た価格の情報に従って会計処理を行う。よって、店員Ｓが、商品９のバーコード等を一つずつスキャンしなくても商品の総金額がレジ装置５に与えられる。
【００３８】
図２は、本発明の第１の実施の形態の検査システムを含むレジシステムの構成を示すブロック図である。レジシステム１００は、検査システム１０とレジ装置５とを備えている。また、検査システム１０は、ＲＦリーダ１と、重量計測装置２と、管理制御装置３と、記憶装置４とを備えている。上述のように、ＲＦリーダ１、重量計測装置２、及び記憶装置４は、それぞれ管理制御装置３に接続されている。検査システム１０は、商品９を検査対象として検査を行うシステムである。商品９は、重量差により種類が特定可能である。また、商品９は、当該商品９の情報を記録したＲＦタグ８を備えている。
【００３９】
ＲＦリーダ１は、載置台２１上に置かれた商品９のＲＦタグ８から当該商品９の情報を読み取る。ＲＦリーダ１は、載置台２１上に置かれた商品９が複数ある場合には、それらの複数の商品のＲＦタグ８を一括して読み取ることができる。ＲＦリーダ１は、図４に示すように、ＲＦアンテナ１１とリーダ本体１２とを備えている。
【００４０】
ＲＦアンテナ１１は、ＲＦタグ８に電波又は磁界を送信し、ＲＦタグ８から電波又は磁界を受信する。リーダ本体１２は、ＲＦアンテナ１１でＲＦタグ８から受信した電波又は磁界から情報を取り出すことで、ＲＦタグ８に記憶されている情報を読み出す。リーダ本体１２は、読み取った情報を管理制御装置３に出力し、記録装置４に記録する。
【００４１】
重量計測装置２は、載置台２１と計測処理装置２２とを備えている。計測処理装置２２は、載置台２１に商品９が載置されて商品９の自重によって載置台２１が押し下げられ、又は変形すると、その押下量又は変形量を商品９の重量として計測する。計測処理装置２２は、計測結果（重量の情報）を管理制御装置３に出力して、記録装置４に記録する。
【００４２】
管理制御装置３は、ＲＦリーダ１で読み取られた情報に基づいて商品９の重量を求め、求めた重量と重量計測装置２で計測された重量とを比較して、両者が一致するか否かを判定する。このために、管理制御装置３は、まず、重量計測装置２の計測結果を用いて、載置台２１上の商品９の総重量を把握する。また、管理制御装置３は、ＲＦリーダ１から得た情報から商品９の規格上の重量を基にして載置台２１上の商品９の重量を把握する。
【００４３】
図３は、本発明の第１の実施の形態のＲＦタグに記憶されている情報を示す図である。ＲＦタグ８には、それが付される商品９の規格上の重量の情報と、当該商品９の価格の情報が記憶されている。なお、ＲＦタグ８には、商品に関するその他の情報、例えば、商品の種類を示す情報、賞味期限を示す情報等が記憶されていてもよい。
【００４４】
図４は、本発明の第１の実施の形態の管理制御装置における処理を説明する図である。図４の例では、載置台２１の上には、３個の種類ａの商品９ａ、及び２個の種類ｂの商品９ｂの合計５個の商品９が載せられている。各商品９ａ、９ｂは、それぞれＲＦタグ８を備えている。商品９ａのＲＦタグ８には、重量ｗａと価格ｐａの情報が記憶されており、商品９ｂのＲＦタグ８には、重量ｗｂと価格ｐｂの情報が記憶されている。なお、重量ｗａと重量ｗｂは異なる。
【００４５】
管理制御装置３は、ＲＦリーダ１から得た重量の情報から商品９の規格上の重量を基にして載置台２１上の商品９の種類毎の重量及びその総和Ｗｒｆを把握する。図４の例の場合には、ＲＦリーダ１において、５個の商品９から３個の重量ｗａと２個の重量ｗｂの情報が得られ、管理制御装置３はこれらの情報を取得して、それらの総重量（Ｗｒｆ＝３×ｗａ＋２×ｗｂ）を求める。また、管理制御装置３は、重量計測装置２の計測結果を用いて当該商品９の台上の総重量を計測する。図４の例では、計測処理装置２２において、５個の商品９の総重量Ｗが得られ、管理制御装置３はこの情報を取得して、商品９の総重量Ｗを把握する。
【００４６】
管理制御装置は、ＲＦリーダ１から得た商品９の計算上の重量Ｗｒｆと、重量計測装置２の計測結果から得た商品９の総重量Ｗとを比較して、総重量Ｗの超過重量（Ｗ−Ｗｒｆ）を求める。管理制御装置３は、この総重量Ｗの超過重量がゼロ又はゼロから所定の許容誤差内にある場合には、商品９の総個数が一致していると推定する。なお、許容誤差は、商品の最小の重量よりも十分に小さく設定される。
【００４７】
一方、商品９の中に有効なＲＦタグ８を有していない商品がある場合には、ＲＦリーダ１から得た商品９の計算上の重量Ｗｒｆと重量計測装置２の計測結果から得た商品９の総重量Ｗとが一致しないことになり（総重量Ｗの超過重量が許容誤差を超えることとなり）、管理制御装置３は、ＲＦリーダ１でＲＦタグ８を読み取った商品９の総個数と重量計測装置２で重量が計測された商品９の総個数とが一致しないと推定する。
【００４８】
また、管理制御装置３は、超過重量が許容誤差を超える場合には、超過重量（Ｗ−Ｗｒｆ）に基づき、ＲＦリーダ１から得た商品９の種類毎の重量の総和と重量計測装置２の計測結果から得た商品９の総重量Ｗとの不一致の原因となる商品９の種類、あるいは不一致の原因とはならない商品９の種類を特定する。
【００４９】
図４の例の場合に、例えば、超過重量（Ｗ−Ｗｒｆ）がｗａである場合には、種類ａの商品９ａのいずれか１つにおいて有効なＲＦタグ８が付されていないことが分かる。また、例えば、超過重量（Ｗ−Ｗｒｆ）が（ｗａ＋ｗｂ）である場合には、種類ａの商品９ａのいずれか１つ、及び種類ｂの商品９ｂのいずれか１つにおいて有効なＲＦタグ８が付されていないことが分かる。
【００５０】
管理制御装置３は、さらに、ＲＦリーダ１から取得した価格の情報から載置台２１上の商品９の総金額を把握する。上述のように、各商品９に付されたＲＦタグ８には当該商品９の価格の情報が記憶されており、管理制御装置３は、ＲＦリーダ１から各商品９の価格の情報を取得するので、これらの総和を求めることで総金額を把握することができる。図４の例の場合には、ＲＦリーダ１において、５個の商品９から３個の価格ｐａと２個の価格ｐｂの情報が得られ、管理制御装置３はこれらの情報を取得して、それらの総和（Ｐ＝３×ｐａ＋２×ｐｂ）を求める。
【００５１】
管理制御装置３は、ＲＦリーダ１でＲＦタグ８を読み取った商品９の総個数と重量計測装置２で重量が計測された商品９の総個数とが一致する場合に、求めた総金額Ｐをレジ装置５に出力する。管理制御装置３は、ＲＦリーダ１でＲＦタグ８を読み取った商品９の総個数と重量計測装置２で重量が計測された商品９の総個数とが一致しない場合には、レジ装置５に総金額Ｐを出力する代わりに警報を出力する。このとき、管理制御装置３は、警報手段として機能する。警報は、視覚、聴覚等によって知覚できる方法で出力される。警報手段は、例えば、ランプ、ブザー等であってよい。
【００５２】
レジ装置５は、管理制御装置３から総金額Ｐの情報を取得した場合には、その金額に従って、会計処理を行う。なお、レジ装置５に従来のバーコードリーダを接続し、ＲＦＩＤにより価格が把握できない商品９が含まれている場合には、すべての商品９について、従来どおりバーコード読み取りによって会計処理を行うようにしてよい。
【００５３】
以上のように、本実施の形態のレジシステム１００によれば、商品９にＲＦタグ８を持たせることで、会計テーブルＴにおいてＲＦＩＤを利用して商品の価格を一括して把握でき、同時にＲＦタグ８に商品９の重量を特定するための情報を記憶しておくとともに商品の実際の重量の計測も行い、ＲＦタグ８から求めた理論上の総重量と実際の計量で得られた総重量とを比較することで有効なＲＦタグ８を有していない商品の存在を把握できる。よって、有効なＲＦタグ８を有していない商品９の価格の計上漏れによる商品販売者の損失を回避できる。
【００５４】
＜＜第２の実施の形態＞＞
第１の実施の形態では、商品９に付されるＲＦタグ８に、当該商品９の規格上の重量と価格の情報が記憶された。しかし、商品９の規格上の重量と価格の情報はＲＦタグ８に記憶されていなくてもよい。図５は、本発明の第２の実施の形態のＲＦタグに記憶される情報を示す図である。本実施の形態では、商品９に付されるＲＦタグ８には、当該商品の種類を特定する情報が記憶される。以下の説明において、第１の実施の形態と同様の部分については、適宜説明を省略する。
【００５５】
図６は、本発明の第２の実施の形態の管理制御装置における処理を説明する図である。図６の例では、図４の例と同様に、載置台２１上には、３個の種類ａの商品９ａ、及び２個の種類ｂの商品９ｂの合計５個の商品９が載せられている。各商品９ａ、９ｂは、それぞれＲＦタグ８を備えている。商品９ａのＲＦタグ８には、種類ａの情報が記憶されており、商品９ｂのＲＦタグ８には、種類ｂの情報が記憶されている。
【００５６】
図６に示すように、本実施の形態では、記憶装置４に、各商品９の種類の情報と、重量の情報と、価格の情報とが互いに対応付けられて記憶されている。図６の例の場合には、記憶装置４には、種類ａの商品９ａについて、種類ａと重量ｗａと価格ｐａとが互いに対応づけて記憶されており、種類ｂの商品９ｂについて、種類ｂと重量ｗｂと価格ｐｂとが互いに対応づけて記憶されている。
【００５７】
ＲＦリーダ１は、載置台２１上に載置された商品９について、それらのＲＦタグ８を一括して読み取る。図６の例の場合には、５個の商品９から３個の種類ａ、及び２個の種類ｂの情報を読み取る。管理制御装置３は、これらの情報を取得して、記憶装置４を参照して、ＲＦリーダ１で読み取られた情報に対応づけられた重量及び価格を読み出す。図６の例の場合には、管理制御装置３は、記憶装置４を参照することで、種類ａの商品９ａについて重量ｗａと価格ｐａを取得し、種類ｂの商品９ｂについて重量ｗｂと価格ｐｂを取得する。
【００５８】
管理制御装置３は、商品９ａについては、ＲＦリーダ１から３個の種類ａがあるという情報を得ているので、種類ａの重量ｗａ及び価格ｐａをそれぞれ３倍し、商品９ｂについては、ＲＦリーダ１から２個の種類ｂがあるという情報を得ているので、種類ｂの重量ｗｂ及び価格ｐｂをそれぞれ２倍し、重量及び価格について、それぞれの総計、即ち総重量Ｗｒｆ及び総金額Ｐを求める。
【００５９】
管理制御装置３は、第１の実施の形態と同様にして、ＲＦタグ８の読み取りに基づいて把握した総重量Ｗｆと重量計測装置２から取得した実際の商品の総重量Ｗとを比較し、一致している場合には、ＲＦリーダ１で検知された商品９の総個数と計量測定装置３で計量された商品９の総個数とが一致しており、すべての商品９に有効なＲＦタグ８が付されていると推定して、総金額Ｐをレジ装置５に出力する。一方、一致しない場合には商品９に有効なＲＦタグ８が付されていないものが存在していると推定して、警報を出力する。その詳細は第１の実施の形態と同様である。
【００６０】
以上のように、本実施の形態のレジシステム１００においても、第１の実施の形態と同様に、商品９にＲＦタグ８を持たせることで、会計テーブルＴにおいてＲＦＩＤを利用して商品の価格を一括して把握でき、同時にＲＦタグ８に商品９の重量を特定するための情報を記憶しておくとともに商品の実際の重量の計測も行い、ＲＦタグ８から求めた理論上の総重量と実際の計量で得られた総重量とを比較することで有効なＲＦタグ８を有していない商品の存在を把握できる。よって、有効なＲＦタグ８を有していない商品９の価格の計上漏れによる商品販売者の損失を回避できる。
【００６１】
（第１及び第２の実施の形態の変形例）
上記の実施の形態では、有価物の例として店舗で販売される商品を例示したが、有価物はこれに限られず、例えば、カジノ施設において現金と引き換えに客に渡される遊技用代用貨幣であってもよい。また、本発明の検査システムは、有価物以外の一般の物品を検査対象としても応用される。
【００６２】
また、上記の実施の形態では、商品９に付されるＲＦタグ８には重量及び価格の情報（第１の実施の形態）又は種類を特定する情報（第２の実施の形態）が記憶されたが、重量及び価格の情報と種類を特定する情報の何れもが記憶されてよく、重量の情報と種類を特定する情報が記憶されるとともに記憶装置４に種類を特定する情報と価格の情報とが対応付けて記憶されてもよく、あるいは、価格の情報と種類を特定する情報が記憶されるとともに記憶装置４に種類を特定する情報と重量の情報とが対応付けて記憶されてもよい。
【００６３】
また、上記の実施の形態では、有効なＲＦタグを持たない物品を検出するために、ＲＦＩＤ以外の手段で物品の存在を検知する手段として、商品９の重量を計測する重量計測装置２を採用したが、ＲＦＩＤ以外の手段で物品の存在を検知する手段は、重量計測装置２に限られない。
【００６４】
例えば、カメラと画像認識装置とを用いて物品を検知してもよい。この場合には、カメラはＲＦＩＤの読み取り位置に置かれた物品を撮影し、画像認識装置は撮影画像に対して画像認識をすることで物品の種類を判別する。一方、ＲＦタグにも物品の種類を特定する情報を記憶しておく。管理制御装置３は、画像認識装置にて判別された物品の種類とＲＦＩＤで検知された物品の種類とが（物品が複数ある場合にはその組み合わせについて）一致するか否かによって、有効なＲＦタグを有しない物品の存在を検知する。
【００６５】
＜＜第３の実施の形態＞＞
第３の実施の形態は、遊技用貨幣を検査する検査システム及び検査装置に関し、特に、ケースに収容された複数の遊技用貨幣を検査する検査システム及び検査装置に関する。
【００６６】
カジノ等の遊技場で用いられる遊技用貨幣は、工場で製造されてから遊技場に運搬されて保管庫に保管され、保管庫から場内のキャッシャやゲームテーブルに移動されるが、この運搬、保管、移動の過程で遊技用貨幣が盗まれ、又は偽物とすり替えられることを防止する必要がある。このために、遊技用貨幣を収容するケースが用いられる。このケースが複数の遊技用貨幣を収容した後に封印されることで、封印後にケースから遊技用貨幣が抜き取られた事態が発見可能となる。
【００６７】
遊技用貨幣として、識別情報や種類の情報を記憶した無線タグを内蔵するとともに側面に識別情報や種類の情報を示す光学的に読み取り可能なコード情報を付与したものが知られている（例えば、特開２００９−６６１７２号公報）。
【００６８】
特開２００９−６６１７２号公報には、遊技用貨幣を用いたシステムが開示されている。このシステムは、遊技テーブルのベット用ボードに置かれた遊技用貨幣について、無線タグに記憶された識別情報に基づいて遊技用貨幣の枚数を算出し、かつ、側面に付与された識別情報に基づいて遊技用貨幣の枚数を算出し、それらを照合する。これにより、ゲームテーブルで不正な遊技用貨幣が用いられた場合に、これを検出することができる。
【００６９】
しかしながら、特開２００９−６６１７２号公報に開示されたシステムは、ベットされた（ベット用ボードに置かれた）遊技用貨幣の枚数を算出して不正を検出するものであるので、このシステムによっても、ケースに収容された複数の遊技用貨幣について、ケースに収容されたままの状態で検査をして、不正な遊技用貨幣を検出することはできない。
【００７０】
そこで、第３の実施の形態は、ケースに収容された複数の遊技用貨幣について、ケースに収容されたままの状態で検査することができる検査システム及び検査装置を提供することを目的とする。
【００７１】
第３の実施の形態の第１の態様の検査システムは、少なくとも第１貨幣情報と第２貨幣情報とを有する遊技用貨幣を検査する検査システムであって、前記第２貨幣情報は、光学的に読み取り可能な形態で前記遊技用貨幣の側面に設けられており、複数の遊技用貨幣を重ねて収容するケースと、前記ケースに収容された遊技用貨幣を検査する検査装置とを備え、前記検査装置は、前記ケースに収容された遊技用貨幣の前記第１貨幣情報を取得する第１読取装置と、前記ケースに収容された遊技用貨幣の側面を光学的に読み取って第２貨幣情報を取得する第２読取装置と、前記第１読取装置で取得された第１貨幣情報と前記第２読取装置で取得された第２貨幣情報とを用いて、前記ケースに存在するすべての遊技用貨幣の真贋・破損もしくは価値毎の枚数を判定することで、当該ケースに収容された複数の遊技用貨幣の合否を判定する判定部とを備えた構成を有する。
【００７２】
この構成により、第１読取部及び第２読取部は、いずれもケースに収容された遊技用貨幣から第１貨幣情報及び第２貨幣情報を取得するので、ケースに収容された状態の遊技用貨幣に対して検査をすることができる。また、第１貨幣情報と第２貨幣情報という２つの情報を遊技用貨幣から取得して検査を行うので、合否の判定を確実に行うことができる。
【００７３】
第３の実施の形態の第２の態様の検査システムは、第１の態様の検査システムにおいて、共通の遊技用貨幣における前記第１貨幣情報と前記第２貨幣情報とは共通の情報を含み、前記判定部は、前記第１読取装置で取得された複数の前記第１貨幣情報と前記第２読取装置で取得された複数の前記第２貨幣情報の共通の情報部分が一致しない場合に、当該ケースに収容された複数の遊技用貨幣を不合格と判定する。
【００７４】
この構成により、第１貨幣情報と第２貨幣情報との共通の情報部分が一致しない不正な遊技用貨幣がケース内に存在しているときに、判定部はそのケースに収容された遊技用貨幣を不合格とすることができる。
【００７５】
例えば、無線タグと側面に共通の識別情報が記録されている場合は、複数の無線タグから読み出された複数の識別情報と、複数の側面から読み出された複数の識別情報とが完全に一致しない場合に、不合格となる。また、無線タグと側面に当該遊技用貨幣の価値が記録されている場合は、無線タグから読み出された各価値の数と、側面から読み出された各価値の数とが一致しない場合に、不合格となる。
【００７６】
第３の実施の形態の第３の態様の検査システムは、第１の態様の検査システムにおいて、前記第１貨幣情報と前記第２貨幣情報の両方または一方は、個別に遊技用貨幣を識別する個別識別情報を含む。
【００７７】
第３の実施の形態の第４の態様の検査システムは、第１の態様の検査システムにおいて、前記第２貨幣情報は、前記遊技用貨幣の価値を表す指定色で表現される情報を含み、前記指定色で遊技用貨幣の価値を示す情報である。
【００７８】
第３の実施の形態の第５の態様の検査システムは、第３の態様の検査システムにおいて、前記第１貨幣情報と前記第２貨幣情報の両方が個別識別情報を含み、前記第１読取装置で取得された複数の前記第１貨幣情報と前記第２読取装置で取得された複数の前記第２貨幣情報の個別識別情報とが一致しない場合に、当該ケースに収容された複数の遊技用貨幣を不合格と判定する。
【００７９】
この構成により、第１貨幣情報の個別識別情報と第２貨幣情報の個別識別情報が一致しない不正な遊技用貨幣がケース内に存在しているときに、判定部はそのケースに収容された遊技用貨幣を不合格とすることができる。
【００８０】
第３の実施の形態の第６の態様の検査システムは、第１の態様の検査システムにおいて、前記ケースに収容されているべき複数の遊技用貨幣の少なくとも前記第１貨幣情報または前記第２貨幣情報の個別識別情報を記憶した記憶部をさらに備え、前記判定部は、前記第１読取装置で取得された複数の前記第１貨幣情報または前記第２読取装置で取得された複数の前記第２貨幣情報の個別識別情報が、前記記憶部に記憶された前記第１貨幣情報または前記第２貨幣情報の個別識別情報と一致しない場合に、当該ケースに収容された複数の遊技用貨幣を不合格と判定する。
【００８１】
この構成により、第１貨幣情報又は第２貨幣情報が不正確である不正な遊技用貨幣がケース内に存在しているときに、判定部はそのケースに収容された遊技用貨幣を不合格とすることができる。
【００８２】
例えば、無線タグに文字で表現される個別識別情報が記録されており、側面に数字で表現される個別識別情報が記録されている場合は、記憶部にも、ケースごとに、無線タグ用に文字で表現される複数の個別識別情報が記憶されており、側面用に数字で表現される複数の個別識別情報が記憶されており、複数の無線タグから読み出した複数の個別識別情報がそのケースの無線タグ用として記憶部に記憶された複数の個別識別情報と一致せず、または、複数の側面から読み出した複数の個別識別情報がそのケースの側面用として記憶部に記憶された複数の個別識別情報と一致しない場合に、不合格となる。
【００８３】
第３の実施の形態の第７の態様の検査システムは、第１の態様の検査システムにおいて、前記第１貨幣情報と前記第２貨幣情報との対応関係を記憶した記憶部をさらに備え、前記判定部は、前記第１読取装置で取得された複数の前記第１貨幣情報と前記第２読取装置で取得された複数の前記第２貨幣情報とが、前記記憶部に記憶された前記対応関係と符合しない場合に、当該ケースに収容された複数の遊技用貨幣を不合格と判定する。
【００８４】
この構成により、第１貨幣情報と第２貨幣情報との対応関係が不正確な遊技用貨幣がケース内に存在しているときに、不合格とすることができる。
【００８５】
例えば、無線タグに識別情報が記録されており、側面に価値が記録されている場合には、記憶部には、各識別情報にいずれかの価値が割り当てられて記憶されており、複数の無線タグから読み出した複数の識別情報について、記憶部を参照して、各価値の個数を求め、側面から読み出した各価値の個数がこれと一致しない場合に、不合格となる。逆に、無線タグに価値が記録されており、側面に識別情報が記録されている場合も同様である。これらの場合に、記憶部では、どのケースにどの識別情報の遊技用貨幣が含まれているかを記憶しておく必要はない。
【００８６】
第３の実施の形態の第８の態様の検査システムは、第１ないし第７のいずれかの態様の検査システムにおいて、前記判定部は、前記第１読取装置で取得された前記第１貨幣情報及び前記第２読取装置で取得された前記第２貨幣情報の数が所定数でない場合に、当該ケースに収容された複数の遊技用貨幣を不合格と判定する。
【００８７】
この構成により、ケースから遊技用貨幣が抜き取られ、あるいはケースに遊技用貨幣が追加されているときに、判定部はそのケースに収容された遊技用貨幣を不合格とすることができる。
【００８８】
例えば、ケースの収容枚数が１００枚である場合は、無線タグから読み出した第１貨幣情報又は側面から読み出した第２貨幣情報のいずれかが１００個でない場合に不合格となる。
【００８９】
第３の実施の形態の第９の態様の検査システムは、第１ないし第８のいずれかの態様の検査システムにおいて、前記遊技用貨幣は、前記第２貨幣情報に前記遊技用貨幣の価値を示す色情報を含み、前記第１貨幣情報に前記遊技用貨幣の価値を識別する価値情報を含み、前記判定部は、前記色情報と前記第１貨幣情報の価値情報とが一致しない場合に当該ケースに収容された複数の遊技用貨幣を不合格と判定する。
【００９０】
第３の実施の形態の第１０の態様の検査システムは、第９の態様の検査システムにおいて、前記第２貨幣情報は前記色情報に加えて前記遊技用貨幣の価値情報を更に含み、前記判定部は、前記第２貨幣情報における色情報による前記遊技用貨幣の価値が、前記第２貨幣情報の価値情報及び前記第１貨幣情報の価値情報の両方あるいは一方と一致しない場合に、当該ケースに収容された複数の遊技用貨幣を不合格と判定する。
【００９１】
第３の実施の形態の第１１の態様の検査システムは、第１ないし第１０のいずれかの態様の検査システムにおいて、前記遊技用貨幣は前記第１貨幣情報を備えた無線タグを有する。
【００９２】
第３の実施の形態の第１２の態様の検査システムは、第１ないし第１１のいずれかの態様の検査システムにおいて、前記第１貨幣情報と前記第２貨幣情報の少なくとも一方または両方は前記遊技用貨幣が属するグループを示すグループ情報を含み、前記グループは、前記遊技用貨幣の価値、製造時期、製造者、及び／又は使用遊技場によって分けられるグループである。
【００９３】
第３の実施の形態の第１３の態様の検査システムは、第１０の態様の検査システムにおいて、前記判定部は、前記色情報と前記第１貨幣情報および前記第２貨幣情報の価値情報または共通の情報または個別識別情報の少なくとも一つとが一致しない場合に当該ケースに収容された複数の遊技用貨幣を不合格と判定する。
【００９４】
第３の実施の形態の第１４の態様の検査システムは、第１０の態様の検査システムにおいて、前記判定部は、前記色情報または前記第１貨幣情報または前記第２貨幣情報の価値情報に基づいて、前記ケースに収容された複数の前記遊技用貨幣の価値毎の枚数、またはすべての前記遊技用貨幣の価値の総額を判定する。
【００９５】
第３の実施の形態の第１５の態様の検査システムは、第１の態様の検査システムにおいて、前記第２貨幣情報は、前記遊技用貨幣の側面において前記遊技用貨幣の価値を表す指定色で表現される情報を含み、前記指定色で遊技用貨幣の価値を示す情報であり、前記第２読取装置は、前記ケースに収容された複数の遊技用貨幣の側面を撮影するカメラと、前記カメラが撮影した画像を分析して、前記複数の遊技用貨幣の各々の指定色を特定し、特定した指定色に従って前記複数の遊技用貨幣の価値を特定する識別部とを備える。
【００９６】
この構成により、判定部は遊技用貨幣の価値の情報を用いて合否を判定できる。
【００９７】
第３の実施の形態の第１６の態様の検査システムは、第１５の態様の検査システムにおいて、前記第２貨幣情報を表現する前記指定色は、遊技用貨幣の側面において、価値の異なる遊技用貨幣について共通に付与される共通色によって、前記遊技用貨幣の厚さ方向に挟まれている。
【００９８】
この構成により、ケース内で複数の遊技用貨幣が積み重ねられていても、識別部は側面の画像から共通色に挟まれた指定色を抽出することで、ケース内の複数の遊技用貨幣の種類を特定できる。
【００９９】
第３の実施の形態の第１７の態様の検査システムは、第１の態様の検査システムにおいて、前記第２貨幣情報は、側面に光学的に読み取り可能に表記された表記情報であり、前記第２読取装置は、前記ケースに積載して収容された複数の遊技用貨幣の側面を撮影するカメラと、前記カメラが撮影した画像を分析して前記複数の遊技用貨幣の各々の表記情報を特定し、特定した表記情報に従って前記複数の遊技用貨幣の各々の前記第２貨幣情報を特定する識別部とを備える。
【０１００】
この構成により、判定部は遊技用貨幣の表記情報を用いて合否を判定できる。
【０１０１】
第３の実施の形態の第１８の態様の検査システムは、第１７の態様の検査システムにおいて、前記表記情報は、赤外線に反応して発光する赤外線反応インク又は赤外線を吸収する赤外線吸収インクで表記されており、前記カメラは、赤外線カメラである。
【０１０２】
この構成により、側面に付された識別情報を自然光下で視認できないようにできる。
【０１０３】
第３の実施の形態の第１９の態様の検査システムは、第１７の態様の検査システムにおいて、前記表記情報は、紫外線に反応して発光するインクで表記されており、前記検査装置は、前記ケースに収容された複数の遊技用貨幣の側面に紫外線を照射する紫外線照射部をさらに備えている。
【０１０４】
この構成によっても、側面に付された識別情報を自然光下で視認できないようにできる。
【０１０５】
第３の実施の形態の第２０の態様の検査システムは、第１の態様の検査システムにおいて、前記ケースには、収容された前記遊技用貨幣を取出し可能に開けると破壊される封印がされており、前記検査装置は、未破壊の前記封印を検出する検出部をさらに備え、前記判定部は、前記検出部にて未破壊の前記封印が検出されない場合に、前記ケースに収容された複数の遊技用貨幣を不合格と判定する。
【０１０６】
この構成により、封印が破壊されたときに、判定部はそのケースに収容された遊技用貨幣を不合格とすることができる。
【０１０７】
第３の実施の形態の第２１の態様の検査システムは、第１の態様の検査システムにおいて、前記ケースは、光透過部分を有し、前記第２読取装置は、前記光透過部分を介して前記ケースに収容された遊技用貨幣の側面を光学的に読み取る。
【０１０８】
この構成により、ケースを閉じたまま第２貨幣情報を読み取ることができる。
【０１０９】
第３の実施の形態の第２２の態様の検査システムは、第２１の態様の検査システムにおいて、前記光透過部分は、透明の部材で構成される。
【０１１０】
この構成により、ケースにおいて光透過部分も含めて密閉構造とすることができる。
【０１１１】
第３の実施の形態の第２３の態様の検査システムは、第１の態様の検査システムにおいて、前記検査装置は、前記ケースを受け入れるケース受入部を備えている。
【０１１２】
この構成により、ケースをケース受け入れ部に配置することで、第１貨幣情報及び第２貨幣情報を読み取ることができる。
【０１１３】
第３の実施の形態の第２４の態様の検査システムは、第２１の態様の検査システムにおいて、前記ケースは、持ち運び可能である。
【０１１４】
この構成により、ケースが工場からテーブルやキャッシャまで移動する過程の任意のポイントでケース内の遊技用貨幣の検査を行うことができる。
【０１１５】
第３の実施の形態の第２５の態様の検査システムは、第１の態様の検査システムにおいて、前記ケースは、ゲームテーブルにおいて前記遊技用貨幣を保持する２段式のチップフロートまたはチップトレイである。
【０１１６】
第３の実施の形態の第２６の態様の検査システムは、側面に価値を表す指定色及び光学的に読み取り可能に表記された表記情報が付与された遊技用貨幣を検査する検査システムであって、複数の遊技用貨幣を重ねて収容するケースと、前記ケースに収容された遊技用貨幣を検査する検査装置とを備え、前記検査装置は、前記ケースに収容された遊技用貨幣の側面を撮影するカメラと、前記カメラが撮影した画像を分析して、前記複数の遊技用貨幣の各々の前記指定色及び前記表記情報を特定する識別部と、前記識別部で特定した前記指定色と前記表記情報とに基づいて、前記ケースごとに遊技用貨幣の合否を判定する判定部とを備えた構成を有する。
【０１１７】
この構成により、識別部はケースに収容された遊技用貨幣について指定色及び表記情報を特定するので、ケースに収容された状態の遊技用貨幣に対して検査をすることができる。また、指定色と表記情報という２つの情報を遊技用貨幣の側面から特定して検査を行うので、合否の判定を確実に行うことができる。
【０１１８】
第３の実施の形態の第２７の態様の検査システムは、貨幣情報を記憶した無線タグを内蔵するとともに側面に価値を表す指定色が付与された遊技用貨幣を検査する検査システムであって、複数の遊技用貨幣を重ねて収容するケースと、前記ケースに収容された遊技用貨幣を検査する検査装置とを備え、前記検査装置は、前記ケースに収容された遊技用貨幣の無線タグを読み取って前記貨幣情報を取得する読取部と、前記ケースに収容された遊技用貨幣の側面を撮影するカメラと、前記カメラが撮影した画像を分析して、前記複数の遊技用貨幣の各々の前記指定色を特定する識別部と、前記読取部で取得された前記貨幣情報と前記識別部で特定した前記指定色とに基づいて、前記ケースごとに遊技用貨幣の合否を判定する判定部とを備えた構成を有する。
【０１１９】
この構成により、読取部は、ケースに収容された遊技用貨幣から貨幣情報を取得するとともに、識別部もケースに収容された遊技用貨幣について指定色を特定するので、ケースに収容された状態の遊技用貨幣に対して検査をすることができる。また、貨幣情報と指定色という２つの情報を遊技用貨幣の側面から特定して検査を行うので、合否の判定を確実に行うことができる。
【０１２０】
第３の実施の形態の第２８の態様の検査装置は、第１貨幣情報を記憶した無線タグを内蔵するとともに側面に光学的に読み取り可能な第２貨幣情報が付与され、ケースに重ねて収容された複数の遊技用貨幣を検査する検査装置であって、前記ケースに収容された複数の遊技用貨幣の無線タグを読み取って第１貨幣情報を取得する第１読取装置と、前記ケースに収容された複数の遊技用貨幣の側面を光学的に読み取って第２貨幣情報を取得する第２読取装置と、前記第１読取装置で取得された第１貨幣情報と前記第２読取装置で取得された第２貨幣情報とに基づいて、前記ケースごとに遊技用貨幣の合否を判定する判定部とを備えた構成を有する。
【０１２１】
この構成により、第１読取部及び第２読取部は、いずれもケースに収容された遊技用貨幣から第１貨幣情報及び第２貨幣情報を取得するので、ケースに収容された状態の遊技用貨幣に対して検査をすることができる。また、第１貨幣情報と第２貨幣情報という２つの情報を遊技用貨幣から取得して検査を行うので、合否の判定を確実に行うことができる。
【０１２２】
第３の実施の形態の第２９の態様の検査装置は、側面に価値を表す指定色及び光学的に読み取り可能な表記情報が付与され、ケースに重ねて収容された複数の遊技用貨幣を検査する検査装置であって、前記ケースに収容された複数の遊技用貨幣の側面を撮影するカメラと、前記カメラが撮影した画像を分析して、前記複数の遊技用貨幣の各々の前記指定色及び前記表記情報を特定する識別部と、前記識別部で特定した前記指定色と前記表記情報とに基づいて、前記ケースごとに遊技用貨幣の合否を判定する判定部とを備えた構成を有する。
【０１２３】
第３の実施の形態の第３０の態様の検査装置は、貨幣情報を記憶した無線タグを内蔵するとともに側面に価値を表す指定色が付与され、ケースに重ねて収容された複数の遊技用貨幣を検査する検査装置であって、前記ケースに収容された複数の遊技用貨幣の無線タグを読み取って前記貨幣情報を取得する読取部と、前記ケースに収容された複数の遊技用貨幣の側面を撮影するカメラと、前記カメラが撮影した画像を分析して、前記複数の遊技用貨幣の各々の前記指定色を特定する識別部と、前記読取部で取得された前記貨幣情報と前記識別部で特定した前記指定色とに基づいて、前記ケースごとに遊技用貨幣の合否を判定する判定部とを備えた構成を有する。
【０１２４】
第３の実施の形態の第３１の態様の検査システムは、貨幣情報を記憶した無線タグを内蔵する遊技用貨幣を検査する検査システムであって、複数の遊技用貨幣を重ねて収容するケースと、前記ケースに収容された遊技用貨幣を検査する検査装置とを備え、前記検査装置は、前記ケースに収容された遊技用貨幣の無線タグを読み取って貨幣情報を取得する読取部と、前記読取部で取得された貨幣情報に基づいて、前記ケースごとに遊技用貨幣の合否を判定する判定部と、前記ケースに収容されているべき複数の遊技用貨幣の前記貨幣情報を記憶した記憶部とを備え、前記判定部は、前記読取部で取得された複数の前記貨幣情報が前記記憶部に記憶された前記貨幣情報と一致しない場合に、当該ケースに収容された複数の遊技用貨幣を不合格と判定する。
【０１２５】
第３の実施の形態の第３２の態様の検査装置は、貨幣情報を記憶した無線タグが内蔵され、ケースに重ねて収容された複数の遊技用貨幣を検査する検査装置であって、前記ケースに収容された複数の遊技用貨幣の無線タグを読み取って貨幣情報を取得する読取部と、前記読取部で取得された前記貨幣情報に基づいて、前記ケースごとに遊技用貨幣の合否を判定する判定部とを備えた構成を有する。
【０１２６】
第３の実施の形態によれば、第１読取部及び第２読取部は、いずれもケースに収容された遊技用貨幣から第１貨幣情報及び第２貨幣情報を取得するので、ケースに収容された状態の遊技用貨幣に対して検査をすることができる。また、第１貨幣情報と第２貨幣情報という２つの情報を遊技用貨幣から取得して検査を行うので、合否の判定を確実に行うことができる。
【０１２７】
以下、図面を参照して第３の実施の形態を説明する。
【０１２８】
＜検査システムの構成＞
図７は、第３の実施の形態における検査システムの構成を示す図である。検査システム４１は、遊技用貨幣を重ねた状態で収容するためのケース４１００と、ケース４１００に重ねて収容された複数の遊技用貨幣をケース４１００に収容された状態のまま検査する検査装置４２００とからなる。
【０１２９】
ケース４１００は、概略直方体形状を有し、透明の樹脂で構成されている。ケース４１００は、円板形状の遊技用貨幣Ｃを積み重ねた状態で収容する。ケース４１００には、２０枚の遊技用貨幣Ｃを収容するカラムが５本形成されており、合計で１００枚の遊技用貨幣Ｃを収容することができる。ケース４１００は、遊技用貨幣Ｃを収容した状態で持ち運びが可能（ポータブル）である。ケース４１００は、分離可能な上部４１０１と下部４１０２とからなり、上部４１０１と下部４１０２とを分離することで、ケース４１００への遊技用貨幣Ｃの収容及びケース４１００からの遊技用貨幣Ｃの取出しが可能となる。
【０１３０】
検査装置４２００は、受入部４２１０と本体部４２２０とからなる。検査装置４２００は、この受入部４２１０にてケース４１００を受け入れることができる。受入部４２１０は、全体として概略上面と前面が開放された直方体形状をなし、左右の側壁４２１１、底部４２１２、及び奥壁４２１３によって形成され、ケース４１００がちょうど収まる幅、高さ、奥行きを有する。
【０１３１】
本体部４２２０は、受入部４２１０の奥壁４２１３の裏側に設けられ、ＲＦＩＤリーダ４２２１、コンピュータ４２２２、及び表示部４２２３を備えている。本体部４２２０には、さらに赤外線カメラ４２２５及び可視光カメラ４２２６が設けられている。赤外線カメラ４２２５及び可視光カメラ４２２６は、受入部４２１０に収容されたケース４１００の上面側からケース４１００に収容された遊技用貨幣Ｃの側面を撮影するように、アーム４２２７の先に取り付けられている。
【０１３２】
コンピュータ４２２２には、ＲＦＩＤリーダ４２２１、表示部４２２３、赤外線カメラ４２２５、及び可視光カメラ４２２６が接続されている。ＲＦＩＤリーダ４２２１にはＲＦＩＤアンテナ４２２４が接続されている。ＲＦＩＤアンテナ４２２４は、ＲＦＩＤリーダ４２２１から延びて、左右の側壁４２１１内で渦巻き状に延びている。すなわち、左右の側壁４２１１の各々の内部には、渦巻き状のＲＦＩＤアンテナ４２２４が敷設されており、各ＲＦＩＤアンテナ４２２４はＲＦＩＤリーダ４２２１に接続されている。
【０１３３】
表示部４２２３は、液晶パネルで構成される。なお、この液晶パネルにタッチセンサが設けられ、表示部４２２３がタッチパネルとして構成されてもよい。
【０１３４】
＜遊技用貨幣の構成＞
図８は、第３の実施の形態における遊技用貨幣Ｃの斜視図であり、図９は、第３の実施の形態における遊技用貨幣Ｃの側面図である。遊技用貨幣Ｃは、中間に指定色で特徴づけられた指定色層４５０１を備え、この中間の指定色層４５０１の厚さ方向の両側（図９では上下）に共通色で特徴づけられた共通色層４５０２を備え、側面に（厚さ方向の）縞模様が形成されている。
【０１３５】
遊技用貨幣Ｃの指定色層４５０１と一方の共通色層４５０２との間には、無線タグとしてＲＦＩＤタグ４５０３が挿入される。ＲＦＩＤタグ４５０３には、遊技用貨幣Ｃの貨幣情報として、例えば遊技用貨幣Ｃを個別に識別する（唯一に特定する）個別識別情報及び価値（種類）の情報が記憶されている。遊技用貨幣Ｃの最外層には透明層４５０４が設けられる。すなわち、遊技用貨幣Ｃは、中間層である指定色層４５０１と、指定色層４５０１を両面から挟む共通色層４５０２と、両面の最外層である透明層４５０４とを有している。
【０１３６】
遊技用貨幣Ｃは、細長い長尺状の５層（透明層４５０４、共通色層４５０２、指定色層４５０１、共通色層４５０２、透明層４５０４の順）のプラスチック材料を重ねて、その際に指定色層４５０１と一方の共通色層４５０２との間に、所定の間隔でＲＦＩＤタグ４５０３を配置し、この５層のプラスチック材料を熱圧着し、その後に、１つの遊技用貨幣Ｃに１つのＲＦＩＤタグ４５０３が含まれるように、プレス等により円形あるいは長方形等に打ち抜くことで形成される。プレスにより打ち抜く際に、打ち抜きのための金型のダイとポンチの寸法を設計して最外層の透明層４５０４の端にＲ加工（丸い角）が施される。
【０１３７】
なお、指定色層４５０１と２層の共通色層４５０２からなる３層を熱圧着した後に、表面にニスを塗装することで透明層４５０４を形成してもよい。また、指定色層４５０１と２つの共通色層４５０２とは、別部材でなくてもよく、一体的に形成された後に、側面に指定色（及び共通色）をインクジェットプリント等で塗布することで指定色層４５０１及び共通色層４５０２を形成してもよい。
【０１３８】
指定色層４５０１は、色（指定色）で遊技用貨幣Ｃの価値（種類）を表現している。すなわち、指定色層４５０１の色を遊技用貨幣Ｃの価値ごと異なる色（赤色、緑色、黄色、青色等）とすることにより、遊技用貨幣Ｃの側面から光学的に読み取れる指定色層５０１の色を確認することで、その遊技用貨幣Ｃの価値（１０ポイント、２０ポイント、１００ポイント、１０００ポイントなど）を特定できるようにしている。共通色層４５０２には、価値の異なる遊技用貨幣Ｃについて共通の色（共通色）が付与されている。共通色は、いずれの指定色よりも薄い色が望ましく、本実施の形態では白色である。
【０１３９】
遊技用貨幣Ｃの側面には、さらに、側面（具体的には、側面の共通色層４５０２）に、遊技用貨幣Ｃの貨幣情報を表すコード情報４５０５が表記されている。このコード情報４５０５は、複数の標識（マークと言ってもよく、本実施の形態では四角の標識）の配置によって情報を表現するものである。指定色層４５０１が色で情報（遊技用貨幣Ｃの価値）を表しているのに対して、コード情報４５０５は側面に表記された標識で情報を表現するものであるので、表記情報ということができる。表記情報の他の例としては、複数の文字列、数字列、バーコード等を挙げることができる。
【０１４０】
本実施の形態のコード情報４５０５は、遊技用貨幣Ｃの周方向に６０度周期で繰り返し表記さている。これにより、コード情報４５０５は、遊技用貨幣Ｃの側面を周方向にどの方向から観察したときにも、周方向の１２０度の範囲内に完全なコード情報４５０５が含まれることになる。なお、遊技用貨幣Ｃの繰り返し周期は、６０度に限られず、周方向に等間隔で少なくとも３回繰り返し表記されていればよい。
【０１４１】
コード情報４５０５は、不可視インクで表記される。本実施の形態では、不可視インクとして、赤外線を吸収する赤外線吸収インク（具体的には、カーボンブラック）を用いて、インクジェットプリントによって印刷されている。コード情報４５０５の印字部分のみが赤外線を反射しないので、遊技用貨幣Ｃの側面を赤外線カメラ４２２５で撮影することで、コード情報４５０５が浮かび上がることになる。なお、赤外線カメラ４２２５は、印字部分を明確に浮かび上がらせるために、赤外線ランプを備えて、撮影する遊技用貨幣Ｃの側面に赤外線を照射するようにしてもよい。
【０１４２】
なお、不可視インクは、赤外線吸収インクに限られず、例えば、赤外線に反応して蛍光発光する赤外線反応インクや、紫外線に反応して蛍光発光するＵＶインクであってもよい。ＵＶインクを用いる場合には、赤外線カメラ４２２５に代えて紫外線カメラを用い、さらに、ＵＶインクを蛍光発光させるために、遊技用貨幣Ｃの側面に紫外線を照射するブラックライトが用いられる。
【０１４３】
さらに、遊技用貨幣Ｃには、共通色層４５０２の表面ＸにＵＶインクまたはカーボンブラックインクによる標識（マーク）ｍ´が設けられている。この標識ｍ´は遊技用貨幣Ｃの真偽を表すものであり、紫外線（もしくは赤外線）を当てると標識ｍ´が目に見えるようになり、その形や数の組み合わせで真正なものを表す。表面の遊技場特定用の印刷４５０６（１００ポイントなど）や標識ｍ´を覆うように最外層には透明層４５０４が熱圧着あるいはコーティング（塗布）されているが、この透明層４５０４にはエンボス加工やニス加工が施され、遊技用貨幣Ｃが互いに密着するのを防いだり、滑りをよくしたりしている。
【０１４４】
印刷４５０６（１００ポイントなど）が施された最外層の透明層４５０４の端はＲ加工（Ｒ）が施され、遊技用貨幣Ｃの打ち抜き工程において、共通色層４５０２の表面が変形して側面に現れるのを防止している。また、遊技用貨幣Ｃの鋭利な端が残り手や他の遊技用貨幣Ｃを損傷するのを防いでいる。指定色層４５０１は、着色された一層もしくは複数の層により形成されてもよい。さらには指定色層４５０１の層の中の層に重量を増すための金属やセラミックが内装されてもよい。また、ＲＦＩＤタグ４５０３は、指定色層４５０１の一部にくり抜き、または指定色層４５０１と共通色層４５０２との間に空間が設けられ、その中に内蔵されてもよい。
【０１４５】
図１０は、ケース４１００に収容された複数の遊技用貨幣Ｃを赤外線カメラ４２２５及び可視光カメラ４２２６で撮影して得られた画像の例を示す図である。この場合のケース４１００はゲームテーブルにおいて遊技用貨幣Ｃを保持する２段式のチップフロート（２段になっているチップトレイにおいて、特に可動する上のトレイ部分）またはチップトレイであってもよい。遊技用貨幣Ｃが、ケース４１００内で、図１０に示すように縦方向に積層されていても、赤外線カメラ４２２５及び可視光カメラ４２２６はコード情報４５０５を撮影可能である。また、指定色層４５０１を縦方向に数えることで、遊技用貨幣Ｃの枚数のカウントも可能となる。なお、２段式であっても、各段を展開することで赤外線カメラ４２２５及び可視光カメラ４２２６によってケース４１００に収容されたすべての遊技用貨幣Ｃの側面を撮影することが可能となる。
【０１４６】
本実施の形態では、コード情報４５０５は、複数行複数列の標識ｍの配置によって表現されている。図１１は、コード情報４５０５の構成を説明するための図である。図１１に示すように、上下の標識ｍがペアになって１つのコード要素が構成される。図１１の例では、１つのコード情報４５０５は１０桁のコード要素から構成される。図１１に示すように、上下の標識ｍがペアになって構成される１つのコード要素のパターンは４種あり、１コード要素で４種類の情報を表現できるので、１０桁のコード要素からなるコード情報４５０５は、４の１０乗種類の情報を表現できる。１０桁のコード要素の横のＹの字は、コード情報４５０５の向きを判別するための向き判別マークＹである。
【０１４７】
＜検査装置の構成＞
図１２は、検査装置４２００の構成を示すブロック図である。検査装置４２００は、図７に示したＲＦＩＤリーダ４２２１、コンピュータ４２２２、表示部４２２３、ＲＦＩＤアンテナ４２２４、赤外線カメラ４２２５、可視光カメラ４２２６のほか、バーコードリーダ４２２８及び通信部４２２９を備えている。また、コンピュータ４２２２は、図示しないプロセッサ、メモリ等によって構成され、プロセッサが検査プログラムを実行することで、識別部４２３０及び判定部４２３１が構成される。
【０１４８】
ＲＦＩＤリーダ４２２１、ＲＦＩＤアンテナ４２２４、及び遊技用貨幣Ｃに埋め込まれたＲＦＩＤタグ４５０３によって、ＲＦＩＤシステムが構成される。遊技用貨幣Ｃに埋め込まれたＲＦＩＤタグ４５０３に記憶された遊技用貨幣Ｃの貨幣情報は、ＲＦＩＤリーダ４２２１によって非接触で読み出され、コンピュータ４２２２における処理に用いられる。
【０１４９】
赤外線カメラ４２２５は、赤外線のみを透過する赤外線透過フィルタを含み、赤外線像を撮像する。赤外線カメラ４２２５の撮影によって生成された赤外線画像はコンピュータ４２２２に送信されて、識別部４２３０の処理に供される。可視光カメラ４２２６は、可視領域の光の像を撮像する。可視光カメラ４２２６の撮影によって生成された可視光画像もコンピュータ４２２２に送信されて、識別部４２３０の処理に供される。図７に示したように、赤外線カメラ４２２５及び可視光カメラ４２２６は、ケース４１００の上方からケース４１００に向けられており、ケース４１００の上部４１０１越しにケース４１００内の複数の遊技用貨幣Ｃの側面を撮影する。
【０１５０】
バーコードリーダ４２２８は、ケース４１００に付されたバーコードＢＣを読み取って後述するケース識別情報を取得する。表示部４２２３は、コンピュータ４２２２の判定部４２３１の判定結果を表示する。通信部４２２９は、工場Ｆに設置された製造管理装置４３０２や遊技場Ｐに設置された使用管理装置４３０３との間でデータの通信を行う。
【０１５１】
＜ケースの構成＞
図１３は、ケース４１００の斜視図である。ケース４１００は、上部４１０１と下部４１０２とが合わさって構成される。本実施の形態では、上部４１０１及び下部４１０２は、透明の樹脂でできている。上記のように本実施の形態の検査装置４２００は、赤外線カメラ４２２５及び可視光カメラ４２２６（以下単にカメラという。）が受入部２１０の上方に設置されているので、ケース４１００は少なくとも上面が光を透過する必要がある。すなわち、ケース４１００には、それが検査装置４２００の受入部４２１０に受け入れられたときにカメラとの間に位置する部分が光を透過する光透過部分である必要がある。なお、本実施の形態では、ケース４１００が上部４１０１と下部４１０２とからなる密閉構造であったが、光透過部分が穴あき状態となっていてもよい。
【０１５２】
ケース４１００は、上述のように、それぞれ２０枚の遊技用貨幣Ｃが重ねて収容される５本のカラムが並列に形成された形状を有し、図１３の例では、上部４１０１及び４下部４１０２が収容される遊技用貨幣Ｃの形状に概略沿うように、各カラムの断面が多角形（８角形）になっている。
【０１５３】
図１４は、変形例のケース４１００´の斜視図であり、図１５は、このケース４１００´の平面図である。ケース４１００´も透明の樹脂で構成される上部４１０１´と下部４１０２とからなる。本変形例では、カメラに面する上部４１０１´の上面が平面で形成されている。このように、カメラに面する面を平面とすることで、図１５に示すように、カメラには、ケース４１００´の多角形断面の角による線状の影が映りこまず、カメラの撮影画像に対する画像解析において、遊技用貨幣Ｃの側面の情報を正確に識別できる。
【０１５４】
＜検査システムの利用態様＞
図１６は、遊技用貨幣Ｃの流通とともに検査システム４１の利用態様の例を説明する図である。遊技用貨幣Ｃは、工場Ｆの製造装置４３０１によって製造されて（ｓ１）、１００枚ずつケース４１００に収容される（ｓ２）。ケース４１００は、遊技用貨幣Ｃを収容した後に、工場Ｆにおいて封印シールによって封印される。また、ケース４１００には、このケース４１００を唯一に特定するためのケース識別情報を示すバーコードＢＣが側面に貼付される（ｓ３）。
【０１５５】
このとき、工場Ｆの製造管理装置４３０２には、ケース４１００に貼付されたバーコードＢＣのケース識別情報が入力される（ｓ４）。また、遊技用貨幣Ｃを収容したケース４１００は、検査装置４２００にかけられて、遊技用貨幣Ｃに付与された貨幣情報（詳細は後述する）が読み取られ、合否の検査が行われる。そして、ケース４１００に収容された遊技用貨幣Ｃから読み取られた貨幣情報は、製造管理装置４３０２に送られて（ｓ５）、製造管理装置４３０２にてケース識別情報と関連付けられる。なお、製造管理装置４３０２は、パーソナルコンピュータであってよい。
【０１５６】
工場Ｆの検査装置４２００において合格となったケース４１００は、工場Ｆから遊技場Ｐに搬送される（ｓ６）。ケース４１００は、遊技場Ｐにおいて、まず保管庫Ｒに保管される（ｓ７）。保管庫Ｒには検査装置４２００が設置されており、工場Ｆから届いたケース４１００はこの検査装置４２００で検査される。
【０１５７】
一方、工場Ｆの製造管理装置４３０２からは、ケース識別情報とそれに関連付けられた貨幣情報が遊技場Ｐの使用管理装置４３０３に送信される。使用管理装置４３０３は、遊技用貨幣Ｃを収容した複数のケース４１００の各々について、製造管理装置４３０２からケース識別情報とそれに関連付けられた貨幣情報を取得し、それをケース４１００ごとに記憶する記憶部を備えている。なお、使用管理装置４３０３は、パーソナルコンピュータであってよい。
【０１５８】
保管庫Ｒの検査装置４２００での検査では、この使用管理装置４３０３に記憶された情報を用いて検査が行われる。保管庫Ｒでの検査で合格となったケース４１００は、ゲームテーブルＴに運ばれ（ｓ９）、あるいはキャッシャＣＡに運ばれる（ｓ１０）。ゲームテーブルＴ及びキャッシャＣＡもそれぞれ検査装置４２００を備えており、遊技用貨幣Ｃを収容したケース４１００は、封印をしたままでそれらの検査装置４２００によって検査される。また、ゲームテーブルＴ及びキャッシャＣＡでは、使用済の遊技用貨幣Ｃを収容したケース４１００の検査も行われ、その検査にも検査装置４２００が用いられる。遊技場Ｐの３つの検査装置４２００における検査では、製造管理装置４３０２から送信されて使用管理装置４３０３に記憶されたケース識別情報及びそれに関連付けれられた貨幣情報が参照される。
【０１５９】
＜記憶される情報の構成＞
図１７は、製造管理装置４３０２にて生成されて使用管理装置４３０３に送信され、使用管理装置４３０３に記憶される情報の内容の例を示す図である。情報は、ケース４１００ごとに生成され、各ケース識別情報（Ｃａ１、Ｃａ２、Ｃａ３、・・・）には、当該ケース４１００に収容された複数（本実施の形態では１００枚）の遊技用貨幣Ｃの貨幣情報が関連付けられる。
【０１６０】
貨幣情報として、ＲＦＩＤタグ４５０３には、当該遊技用貨幣Ｃを唯一に特定する個別識別情報（ａａ、ａｂ、ａｃ、・・・、ｄｕ、ｄｖ）と、当該遊技用貨幣Ｃの価値（種類）を特定する情報（ｒ、ｒ、ｒ、・・・、ｂ、ｂ）との組み合わせからなる情報が記憶され、側面の表記情報には、当該遊技用貨幣Ｃを唯一に特定する個別識別情報（００００１、００００２、００００３、・・・、０００９９、００１００）と、当該遊技用貨幣Ｃの価値（種類）を特定する情報（１、１、１、・・・、２、２）との組み合わせからなる情報が記憶され、側面の色の情報には、当該遊技用貨幣Ｃの価値（種類）を特定する情報（赤、赤、赤、・・・、青、青）が記憶される。
【０１６１】
このＲＦＩＤタグ４５０３に記憶される情報は、ＲＦＩＤリーダ４２２１によって電磁的に読み取り可能な情報であって、本実施の形態の第１貨幣情報に該当し、側面に付与される表記情報及び色の情報は、光学的に読み取り可能な情報であって、本実施の形態の第２貨幣情報に該当する。
【０１６２】
＜読み出される情報の構成＞
図１８は、検査装置４２００において、１つのケース４１００からバーコードリーダ４２２８、ＲＦＩＤリーダ４２２１、赤外線カメラ４２２５、及び可視光カメラ４２２６によってそれぞれ取得される情報の内容の例を示す図である。ＲＦＩＤリーダ４２２１からは、複数の遊技用貨幣Ｃに内蔵されているＲＦＩＤタグ４５０３に記憶された英文字列が読み出される。赤外線カメラ４２２５からは、側面に表記された表記情報である数字列が読み出される。また、可視光カメラ４２２６からは、側面の色が読み出される。識別部４２３０は、赤外線カメラ４２２５から読み出された数字列（の画像）を解析して、数字を識別して、数字列からなる情報を特定し、可視光カメラ４２２６から読み出された側面の画像から指定色を特定する。
【０１６３】
ここで、複数の遊技用貨幣Ｃの側面の表記情報及び指定色の情報は、ケース４１００における遊技用貨幣Ｃの並び順に従って取得することができるが、複数のＲＦＩＤタグ４５０３から取得した情報は、遊技用貨幣Ｃの並び順に従って取得することはできない。すなわち、ＲＦＩＤタグ４５０３の情報が、どの遊技用貨幣Ｃから得られたものであるかを特定することはできない。
【０１６４】
＜合否判定方法＞
次に、検査装置４２００のコンピュータ４２２２における合否の判定の方法について説明する。上述のように、識別部４２３０は、ＲＦＩＤリーダ４２２１の読取結果に基づいて、ケース４１００に収容された複数の遊技用貨幣ＣのＲＦＩＤタグ４５０３に記憶された貨幣情報を特定し、赤外線カメラ４２２５で得られた赤外線像を解析して表記情報が示す貨幣情報を特定し、可視光カメラ４２２６で得られた可視光像を解析して指定色層４５０１の色を特定する。判定部４２３１は、これらの情報に基づいて、ケースに存在するすべての遊技用貨幣の真贋・破損もしくは価値毎の枚数を判定し、当該ケース４１００の合否を判定する。以下の説明では、ＲＦＩＤタグ４５０３に記憶された貨幣情報を第１貨幣情報といい、遊技用貨幣Ｃの側面に付与された表記情報及び指定色層４５０１の色の情報を第２貨幣情報という。
【０１６５】
（第１の合否判定方法）
第１の合否判定方法では、図１９に示すように、同一の遊技用貨幣Ｃにおける第１貨幣情報と第２貨幣情報とを同一の情報とする。図１９の例では、第１貨幣情報が各遊技用貨幣Ｃの個別識別情報と価値の情報からなる情報であり、これと同じ内容が第２貨幣情報として表記情報の形式で側面に表記されている。
【０１６６】
ＲＦＩＤリーダ４２２１は、遊技用貨幣ＣのＲＦＩＤタグ４５０３から第１貨幣情報を読み出して、識別部４２３０に出力し、赤外線カメラ４２２５は、遊技用貨幣Ｃの側面を撮影して、識別部４２３０が第２貨幣情報を特定する。この場合に、識別部４２３０では、複数の第１貨幣情報と複数の第２貨幣情報との対応関係が不明となっている。
【０１６７】
判定部４２３１は、識別部４２３０で得られた複数の第１貨幣情報と複数の第２貨幣情報とを比較して、それらが一対一で完全に対応する場合、すなわち、すべての第１貨幣情報が、重複することなくいずれかの第２貨幣情報と一致する場合に、当該ケース４１００に収容された複数の遊技用貨幣Ｃを合格と判定し、識別部４２３０で得られた複数の第１貨幣情報と複数の第２貨幣情報とが完全には一致しない場合に、当該ケース４１００に収容された複数の遊技用貨幣Ｃを不合格と判定する。
【０１６８】
識別部４２３０で得られた複数の第１貨幣情報と複数の第２貨幣情報とが完全には一致しない場合としては、ケース４１００に収容されたいずれかの遊技用貨幣Ｃが偽造されたものである場合や、いずれかの遊技用貨幣ＣのＲＦＩＤタグ４５０３又は側面が破損している場合が考えられる。すなわち、判定部４２３１は、ケース４１００に存在するすべての遊技用貨幣Ｃの真贋・破損を判定することで、当該ケース４１００に収容された複数の遊技用貨幣Ｃの合否を判定する。
【０１６９】
（第２の合否判定方法）
第２の合否判定方法でも、図２９０に示すように、同一の遊技用貨幣Ｃにおける第１貨幣情報と第２貨幣情報とは同一の情報である。図２０の例では、第１貨幣情報が各遊技用貨幣Ｃの価値の情報であり、各遊技用貨幣Ｃには側面の指定色層４５０１に第２貨幣情報として指定色が与えられている。
【０１７０】
ＲＦＩＤリーダ４２２１は、遊技用貨幣ＣのＲＦＩＤタグ４５０３から第１貨幣情報を読み出して、識別部４２３０に出力し、可視光カメラ４２２６は、遊技用貨幣Ｃの側面を撮影して、識別部４２３０がこの画像を解析して、第２貨幣情報（指定色層４５０１の色）を特定する。
【０１７１】
この場合には、識別部４２３０では、複数の第１貨幣情報と複数の第２貨幣情報との対応関係が不明となっており、また、複数の第１貨幣情報には互いに重複するものがあり、複数の第２貨幣情報にも互いに重複するするものがある。なお、図２０の第１貨幣情報及び第２貨幣情報において、「ｒ」は赤色、「ｂ」は青色、「ｙ」は黄色、「ｇ」は緑色をそれぞれ表している。
【０１７２】
判定部４２３１は、識別部４２３０で得られた複数の第１貨幣情報における各指定色（赤色、青色、黄色、緑色）の数と、複数の第２貨幣情報における各指定色（赤色、青色、黄色、緑色）の数とが何れも一致する場合には、合格と判定し、一致しない場合には、不合格と判定する。
【０１７３】
第１貨幣情報における各指定色の数と、複数の第２貨幣情報における各指定色の数とが一致しない場合としては、ケース４１００に収容されたいずれかの遊技用貨幣Ｃが偽造されたものである場合や、いずれかの遊技用貨幣Ｃの側面が破損している場合が考えられる。すなわち、判定部４２３１は、ケース４１００に存在するすべての遊技用貨幣Ｃの価値毎の枚数を判定することで、当該ケース４１００に収容された複数の遊技用貨幣Ｃの合否を判定する。
【０１７４】
（第３の合否判定方法）
第３の合否判定方法では、図２１に示すように、同一の遊技用貨幣Ｃにおける第１貨幣情報と第２貨幣情報とは異なる情報である。図２１の例では、遊技用貨幣ＣのＲＦＩＤタグ４５０３には、第１貨幣情報として英文字列の情報が記憶され、遊技用貨幣Ｃの側面には第２貨幣情報として数字列の表記情報が表記されている。
【０１７５】
ＲＦＩＤリーダ４２２１は、遊技用貨幣ＣのＲＦＩＤタグ４５０３から第１貨幣情報を読み出して、識別部４２３０に出力し、赤外線カメラ４２２５は、遊技用貨幣Ｃの側面を撮影して、識別部４２３０が第２貨幣情報を特定する。この場合に、識別部４２３０では、複数の第１貨幣情報と複数の第２貨幣情報との対応関係が不明となっている。
【０１７６】
使用管理装置４３０３には、このケース４１００のケース識別情報に関連付けて、第１貨幣情報及び第２貨幣情報が記憶されている。判定部４２３１は、識別部４２３０で得られた複数の第１貨幣情報と使用管理装置４３０３に記憶されている当該ケース４１００のケース識別情報に関連付けられた複数の第１貨幣情報とを比較して、それらが一対一で完全に対応するか否かを判断する。また、判定部４２３１は、識別部４２３０で得られた複数の第２貨幣情報と使用管理装置４３０３に記憶されている当該ケース４１００のケース識別情報に関連付けられた複数の第２貨幣情報とを比較して、それらが一対一で完全に対応するか否かを判断する。
【０１７７】
判定部４２３１は、識別部４２３０で得られた複数の第１貨幣情報と使用管理装置４３０３に記憶されている当該ケース４１００のケース識別情報に関連付けられた複数の第１貨幣情報とが一対一で完全に対応し、すなわち、識別部４２３０で得られた複数の第１貨幣情報が、重複することなく、使用管理装置４３０３に記憶されている当該ケース４１００のケース識別情報に関連付けられた複数の第１貨幣情報のいずれかと一致し、かつ、識別部４２３０で得られた複数の第２貨幣情報と使用管理装置４３０３に記憶されている当該ケース４１００のケース識別情報に関連付けられた複数の第２貨幣情報とが一対一で完全に対応する場合、すなわち、識別部４２３０で得られた複数の第２貨幣情報が、重複することなく、使用管理装置４３０３に記憶されている当該ケース４１００のケース識別情報に関連付けられた複数の第２貨幣情報のいずれかと一致する場合に、当該ケース４１００に収容された複数の遊技用貨幣Ｃを合格と判定し、複数の第１貨幣情報のいずれかが一致せず、又は複数の第２貨幣情報のいずれかが一致しない場合に、当該ケース４１００に収容された複数の遊技用貨幣Ｃを不合格と判定する。
【０１７８】
複数の第１貨幣情報のいずれかが記憶されている情報と一致せず、又は複数の第２貨幣情報のいずれかが記憶されている情報と一致しない場合としては、ケース４１００に収容されたいずれかの遊技用貨幣Ｃが偽造されたものである場合や、いずれかの遊技用貨幣ＣのＲＦＩＤタグ４５０３又は側面が破損している場合が考えられる。すなわち、判定部４２３１は、ケース４１００に存在するすべての遊技用貨幣Ｃの真贋・破損を判定することで、当該ケース４１００に収容された複数の遊技用貨幣Ｃの合否を判定する。
【０１７９】
（第４の合否判定方法）
第４の合否判定方法では、図２２に示すように、同一の遊技用貨幣Ｃにおける第１貨幣情報と第２貨幣情報とは異なる情報である。図２２の例では、遊技用貨幣ＣのＲＦＩＤタグ４５０３には、第１貨幣情報として英文字列の情報が記憶され、遊技用貨幣Ｃの側面の指定色層４５０１は第２貨幣情報として価値に応じた指定色に着色されている。
【０１８０】
ＲＦＩＤリーダ４２２１は、遊技用貨幣ＣのＲＦＩＤタグ４５０３から第１貨幣情報を読み出して、識別部４２３０に出力し、可視光カメラ４２２６は、遊技用貨幣Ｃの側面を撮影して、識別部４２３０に出力し、識別部４２３０はこの撮影画像を分析して第２貨幣情報である指定色を特定する。この場合に、識別部４２３０では、複数の第１貨幣情報と複数の第２貨幣情報との対応関係が不明となっている。
【０１８１】
使用管理装置４３０３には、このケース４１００のケース識別情報に関連付けて、第１貨幣情報及び第２貨幣情報が記憶されている。判定部４２３１は、識別部４２３０で得られた複数の第１貨幣情報と使用管理装置４３０３に記憶されている当該ケース４１００のケース識別情報に関連付けられた複数の第１貨幣情報とを比較して、それらが一対一で完全に対応するか否かを判断する。また、判定部４２３１は、識別部４２３０で得られた複数の第２貨幣情報における各指定色の数と使用管理装置４３０３に記憶されている当該ケース４１００のケース識別情報に関連付けられた複数の第２貨幣情報における各指定色の数とを比較して、各指定色について数が一致するか否かを判断する。
【０１８２】
判定部４２３１は、識別部４２３０で得られた複数の第１貨幣情報と使用管理装置４３０３に記憶されている当該ケース４１００のケース識別情報に関連付けられた複数の第１貨幣情報とが一対一で完全に対応し、かつ、識別部４２３０で得られた複数の第２貨幣情報における各指定色の数と使用管理装置４３０３に記憶されている当該エース４１００のケース識別情報に関連付けられた複数の第２貨幣情報における各指定色の数とがいずれも一致する場合に、当該ケース４１００を合格と判定し、複数の第１貨幣情報のいずれかが一致せず、又は複数の第２貨幣情報における各指定色のいずれかの数が一致しない場合に、当該ケース４１００に収容された複数の遊技用貨幣Ｃを不合格と判定する。
【０１８３】
複数の第１貨幣情報のいずれかが記憶されている情報と一致せず、又は複数の第２貨幣情報における各指定色のいずれかの数が一致しない場合としては、ケース４１００に収容されたいずれかの遊技用貨幣Ｃが偽造されたものである場合や、いずれかの遊技用貨幣ＣのＲＦＩＤタグ４５０３又は側面が破損している場合が考えられる。すなわち、判定部４２３１は、ケース４１００に存在するすべての遊技用貨幣Ｃの真贋・破損及び価値毎の枚数を判定することで、当該ケース４１００に収容された複数の遊技用貨幣Ｃの合否を判定する。
【０１８４】
（第５の合否判定方法）
第５の合否判定方法では、図２３に示すように、同一の遊技用貨幣Ｃにおける第１貨幣情報と第２貨幣情報とは異なる情報である。図２３の例では、遊技用貨幣ＣのＲＦＩＤタグ４５０３には、第１貨幣情報として数字列からなる個別識別情報が記憶され、遊技用貨幣Ｃの側面には第２貨幣情報として遊技用貨幣Ｃの価値の情報が指定色層４５０１の指定色の形式で付与されている。
【０１８５】
ＲＦＩＤリーダ４２２１は、遊技用貨幣ＣのＲＦＩＤタグ４５０３から第１貨幣情報を読み出して、識別部４２３０に出力し、可視光カメラ４２２６は、遊技用貨幣Ｃの側面を撮影して、識別部４２３０に出力し、識別部４２３０はこの撮影画像を分析して第２貨幣情報である指定色を特定する。この場合に、識別部４２３０では、複数の第１貨幣情報と複数の第２貨幣情報との対応関係が不明となっている。
【０１８６】
使用管理装置４３０３には、第１貨幣情報と第２貨幣情報との対応関係が記憶されている。図２３の例では、遊技用貨幣Ｃを唯一に特定する個別識別情報と、側面の指定色層４５０１の指定色、すなわち遊技用貨幣Ｃの価値の情報とが対応付けられており、個別識別情報を指定するとその遊技用貨幣Ｃの価値が分かるようになっている。なお、本例の場合には、使用管理装置４３０３は、第１貨幣情報と第２貨幣情報との組み合わせをケース識別情報ごとに記憶しておく必要はない。換言すれば、本例では、ケース識別情報を用いずにケース４１００に収容された遊技用貨幣Ｃの検査を行うことができる。
【０１８７】
判定部４２３１は、使用管理装置４３０３に記憶された第１貨幣情報から、識別部４２３０が識別した第１貨幣情報に対応する第１貨幣情報を特定し、当該第１貨幣情報に対応付けられた第２貨幣情報、すなわち価値を特定する。判定部４２３１は、これを識別部４２３０にて識別されたすべての第１貨幣情報について行うことで、１ケースについて使用管理装置４３０３から抽出された複数の第２貨幣情報における各価値の数を得ることができる。
【０１８８】
判定部４２３１は、このようにして得られた各価値の数と、識別部４２３０から当該ケース４１００について識別された第２貨幣情報における各価値の数とを比較する。判定部４２３１は、各価値の数がいずれも一致する場合には、当該ケース４１００に収容された複数の遊技用貨幣Ｃを合格と判定し、いずれかの価値の数が一致しない場合には、当該ケース４１００に収容された複数の遊技用貨幣Ｃを不合格と判定する。
【０１８９】
使用管理装置４３０３から抽出された複数の第２貨幣情報における各価値の数と、識別部４２３０から当該ケース４１００について識別された第２貨幣情報における各価値の数とが一致しない場合としては、ケース４１００に収容されたいずれかの遊技用貨幣Ｃが偽造されたものである場合や、いずれかの遊技用貨幣ＣのＲＦＩＤタグ４５０３又は側面が破損している場合が考えられる。すなわち、判定部４２３１は、ケース４１００に存在するすべての遊技用貨幣Ｃの真贋・破損及び価値毎の枚数を判定することで、当該ケース４１００に収容された複数の遊技用貨幣Ｃの合否を判定する。
【０１９０】
なお、図示は省略するが、第１貨幣情報として遊技用貨幣Ｃの価値が記憶され、第２貨幣情報として遊技用貨幣Ｃの個別識別情報が記憶される場合にも、上記と同様にして合否の判定をすることができる。
【０１９１】
以上、第１ないし第５の合否判定方法を説明したが、判定部４２３１は、上記の合否判定方法を組み合わせて採用してもよい。また、判定部４２３１は、上記の合否判定方法に加えて、ケース４１００に収容された複数の遊技用貨幣Ｃから読み取られた第１貨幣情報及び第２貨幣情報の数がいずれも所定数（本実施の形態では１００）でない場合に、当該ケース４１００に収容された複数の遊技用貨幣Ｃを不合格と判定してもよい。
【０１９２】
上記の第１及び第２の合否判定方法は、遊技場Ｐに設置された使用管理装置４３０３に記憶された情報を用いないで実行できる合否判定方法であり、工場Ｆ内の検査装置４２００で実行されるのに適しており、第３ないし第５の合否判定方法は、遊技場Ｐに設置された使用管理装置４３０３に記憶された情報を用いる合否判定方法であり、遊技場Ｐ内の検査装置４２００で実行されるのに適しているが、遊技場Ｐ内の検査装置４２００が第１又は第２の合否判定方法を採用してもよい。遊技場Ｐ内のすべての検査装置４２００が第１又は第２の合否判定方法のように使用管理装置４３０３に記憶された情報を用いない合否判定方法を採用する場合には、使用管理装置４３０３は省略することができる。
【０１９３】
また、遊技場Ｐの検査装置４２００では、使用済の遊技用貨幣Ｃを収容したケース４１００の検査も行うが、この場合には、当該ケースに収容されているべき遊技用貨幣の情報を記憶しておく必要がない第１、第２、又は第５の合否判定方法を採用することができる。
【０１９４】
また、上記の実施の形態では、遊技用貨幣Ｃが第１貨幣情報及び／又は第２貨幣情報として、個別識別情報及び／又は価値の情報を有していた。ここで、個別識別情報は、各遊技用貨幣Ｃを唯一に特定する情報であるのに対して、価値の情報は複数の遊技用貨幣Ｃにおいて互いに重複し得る情報であり、各遊技用貨幣が所属するグループを示す情報（グループ情報）ということもできる。本実施の形態は、この所属するグループのグループ情報として、価値に代えて、又は価値に加えて、例えば、遊技用貨幣の製造時期、製造者、及び／又は使用される遊技場の情報を採用することもできる。
【０１９５】
すなわち、第１貨幣情報及び第２貨幣情報が、いずれも当該遊技用貨幣を識別する個別識別情報を含んでいてよく、第１貨幣情報及び第２貨幣情報が、いずれも当該遊技用貨幣が属するグループを示すグループ情報を含んでいてよく、第１貨幣情報が当該遊技用貨幣を識別する個別識別情報を含み、かつ、第２貨幣情報が当該遊技用貨幣の属するグループのグループ情報を含んでいてよく、あるいは、第１貨幣情報が当該遊技用貨幣の属するグループのグループ情報を含み、かつ、第２貨幣情報が当該遊技用貨幣を識別する個別識別情報を含んでいてよい。
【０１９６】
＜合否判定の結果表示＞
図２４及び図２５は、判定部４２３１における合否判定の結果を示す合否結果表示画面の例を示す図である。これらの合否結果表示画面は、コンピュータ４２２２が判定部４２３１における合否判定の結果に基づいて生成し、表示部４２２３にて表示される。図２４は、合格の場合の表示画面の例を示しており、図２５は、不合格の場合の表示画面の例を示している。
【０１９７】
図２４及び図２５示すように、合否結果表示画面４８００には、識別部４２３０が遊技用貨幣Ｃから読み出した第１貨幣情報と第２貨幣情報との組み合わせの数であるトータル検出数４８０１と、正しい遊技用貨幣Ｃの枚数４８０２と、不正な遊技用貨幣Ｃの枚数４８０３と含んでいる。
【０１９８】
コンピュータ４２２２は、第１貨幣情報の数と第２貨幣情報の数のうちの大きい方をトータル検出数４８０１とする。例えば、ケース４１００内に遊技用貨幣Ｃが１００枚収容されているが、そのうちの１枚がＲＦＩＤタグ４５０３を内蔵していない場合には、識別部４２３０は、複数の遊技用貨幣Ｃから１００個の第２貨幣情報を特定するが、第１貨幣情報は９９個しか得られないことになる。この場合には、コンピュータ４２２２は、第１貨幣情報及び第２貨幣情報のうちの大きい方である１００をトータル検出数４８０１とする。
【０１９９】
コンピュータ４２２２は、上記の第１又は第２の合否判定方法の場合には、互いに一致すると判定された第１貨幣情報と第２貨幣情報との組み合わせの数を正しい遊技用貨幣Ｃの枚数４８０２とし、トータル検出枚数４８０１から正しい遊技用貨幣Ｃの枚数を引いた数を不正の遊技用貨幣Ｃの枚数４８０３とする。
【０２００】
コンピュータ４２２２は、上記の第３又は第４の合否判定方法の場合には、使用管理装置４３０３に記憶された第１貨幣情報との対応関係が確認された第１貨幣情報の数、及び使用管理装置４３０３に記憶された第２貨幣情報との対応関係が確認された第２貨幣情報の数のうちの小さい方を正しい遊技用貨幣Ｃの枚数４８０２とし、トータル検出枚数４８０１から正しい遊技用貨幣Ｃの枚数を引いた数を不正の遊技用貨幣Ｃの枚数４８０３とする。
【０２０１】
コンピュータ４２２２は、上記の第５の合否判定方法の場合には、使用管理装置４３０３に記憶された第２貨幣情報との対応関係が確認された第２貨幣情報の数を正しい遊技用貨幣Ｃの枚数４８０２とし、トータル検出枚数４８０１から正しい遊技用貨幣Ｃの枚数を引いた数を不正の遊技用貨幣Ｃの枚数４８０３とする。
【０２０２】
合否結果表示画面４８００には、識別部４２３０が遊技用貨幣Ｃから読み出した貨幣情報を表示する貨幣情報表示部４８０４が含まれる。貨幣情報表示部４８０４では、使用管理装置４３０３に記憶されている貨幣情報が読み取られた場合、又は、第１貨幣情報と第２貨幣情報とが一致している場合には、その貨幣情報が色付きで表示され、使用管理装置４３０３に記憶されているが読み出されなかった貨幣情報が白抜きで表示される（図４３参照）。
【０２０３】
また、合否結果表示画面４８００には、使用管理装置４３０３に記憶されていない貨幣情報が読み取られた場合、又は、第１貨幣情報と第２貨幣情報とが一致しなかった場合には、その貨幣情報が不正な貨幣情報４８０５として、貨幣情報表示部４８０４の外に表示される。
【０２０４】
＜変形例＞
（検査装置のＲＦＩＤアンテナ）
図２６は、検査装置４２００のＲＦＩＤアンテナ４２２４の変形例を示す図である。なお、図２６では、アーム４２２７及び赤外線カメラ４２２５及び可視光カメラ４２２６の図示は省略している。上記の実施の形態では、ＲＦＩＤアンテナ４２２４は、左右の側壁４２１１に内蔵されていたが、ＲＦＩＤアンテナ４２２４は、底部４２１３に内蔵されていてもよい。この場合にも、ＲＦＩＤアンテナ４２２４は、底部４２１３の内部で渦巻き状に配置される。
【０２０５】
（遊技用貨幣）
図２７は、変形例の遊技用貨幣Ｃ´の側面図である。上記の実施の形態の遊技用貨幣Ｃは、指定色層４５０１が共通色層４５０２によって挟まれていたが、図２７の例では、遊技用貨幣Ｃ´は、中央を共通色層４５０２として、その両側（上下）を指定色層４５０１として構成されている。図２７の例では、遊技用貨幣Ｃ´の側面には、コード情報４５０５´として、７桁の数字列で表される個別識別情報が表記（印刷）されている。図２７の例では、表記情報であるコード情報４５０５´を中央の共通色層５０２に表記されている。この場合のコード情報４５０５´は、１０の７条種類の情報を表現することができる。
【０２０６】
さらに、上記の実施の形態の遊技用貨幣Ｃについて説明した、標識ｍの有無で表現されるコード情報４５０５と、図２７に例示した数字列のコード情報４５０５´のいずれもが、遊技用貨幣Ｃの側面に表記されていてもよ。この場合に、標識ｍによるコード情報４５０５と数字列のコード情報４５０５´とが異なるインクで印刷されていてもよい。例えば、標識ｍによるコード情報４５０５は赤外線反応インクで印刷され、数字列によるコード情報４５０５´は紫外線反応インクで印刷されてもよい。この場合には、遊技用貨幣Ｃの側面を撮影するために赤外線カメラと紫外線カメラが用意され、赤外線カメラで標識ｍによるコード情報４５０５を読み取り、紫外線カメラで数字列によるコード情報４５０５´を読み取るようにしてよい。
【０２０７】
図２８は、他の変形例の遊技用貨幣Ｃ´´の側断面図である。遊技用貨幣Ｃ´´は、複数の色の異なるプラスチックの層が積層され、少なくとも中間に指定色層（着色層）４５０１を備え、この中間の指定色層４５０１の両側に共通色層（白色又は薄色の層）４５０２を積層した多層構造となっている。なお、共通色層４５０２の色は、指定色層４５０１の色より薄いことが望ましい。このように、遊技用貨幣Ｃ´´において、指定色層４５０１を備え、この中間の指定色層４５０１の両側に共通色層４５０２を積層した多層構造とすることで、図２９に示すように、側面に積層方向の縞模様を形成し、指定色層４５０１の色を変える（赤色、緑色、黄色や青色等）ことにより遊技用貨幣Ｃ´´の種類（１０ポイント、２０ポイント、１００ポイント、１０００ポイントなど）を特定できるようにしている。
【０２０８】
図２９は、積み重ねられた遊技用貨幣Ｃ´´の斜視図であり、図３０は、遊技用貨幣Ｃ´´の側面図であり、図３１は、遊技用貨幣Ｃ´´の平面図である。図２９に示すように、遊技用貨幣Ｃ´´は、共通色層４５０２の表面（上面と下面）に遊技用貨幣Ｃ´´の種類（価値）を表す印刷４５０７（１００ポイントなど）が施され、最外層に透明層４５０４が設けられ、各層間が熱圧着されて少なくとも５層構造をなしている。これらの遊技用貨幣Ｃ´´は、細長い長尺状のプラスチック材料を用い、長尺の状態で各層（指定色層４５０１、共通色層４５０２、透明層４５０４）の間が熱圧着されて密着した状態（５層構造等）を形成し、その後にプレス等により円形あるいは長方形等に打ち抜いて形成される。プレスにより打ち抜く際に打ち抜きのための金型のダイとポンチの寸法を設計して最外層の透明層４５０４の端にＲ加工（丸い角）が施される。
【０２０９】
さらに、遊技用貨幣Ｃ´´には、共通色層４５０２の表面にＵＶインクまたはカーボンブラックインクによる標識ｍ´´が設けられている。この標識ｍ´´は遊技用貨幣Ｃ´´の真偽を表すものであり、紫外線（もしくは赤外線）を当てると標識ｍ´´が目に見えるようになり、その形や数の組み合わせで真正なものを表す。印刷４５０７やマークｍ´を覆うように最外層には透明層４５０４が熱圧着あるいはコーティング（塗布）されているが、この透明層４５０４にはエンボス加工が施され、遊技用貨幣Ｃ´´が互いに密着するのを防いでいる。
【０２１０】
印刷４５０７（１００ポイントなど）が施された最外層の透明層４５０４の端はＲ加工（Ｒ）が施され、遊技用貨幣Ｃ´´の打ち抜き工程において、共通色層４５０２の表面が変形して側面に現れるのを防止している。また、遊技用貨幣Ｃ´´は鋭利な端が残り手や他の遊技用貨幣Ｃ´´を損傷するのを防いでいる。
【０２１１】
指定色層４５０１は、図２８に示すように、指定色に着色された複数の層（図２８では３層）により形成されてもよい。指定色に着色された複数の層（図２８では３層）は互いに熱圧着されているので、図２８のように３層構造が目視可能な状態ではなく、図２８は説明上、指定色層４５０１の３層を表している。さらには指定色層４５０１の３層の内真ん中の層には一部くり抜きＢが設けられ、ＲＩＦＤタグ４５０３はその中に内蔵される。
【０２１２】
図２８、図２９、及び図３０に示したように、遊技用貨幣Ｃ、Ｃ´、Ｃ´´は、積層した多層構造になっており、側面に積層方向の縞模様がくっきりと形成されているので、従来チップに比べて、画像分析によって指定色層４５０１の色（遊技用貨幣の種類）及び枚数の測定を容易かつ正確に行うことが可能となる。図３２は、積み重ねられた遊技用貨幣を撮影して得られた画像の例を示す図である。図３２に示すように、可視光カメラ４２２６によって遊技用貨幣Ｃの側面を撮影することで、指定色層４５０１を明確に識別することができる。さらに、この画像解析に人工知能活用型のコンピュータもしくは制御システム、ディープラーニング（構造）技術を用いれば、画像の分析、判定がより正確に可能となる。人工知能活用型のコンピュータもしくは制御システム、ディープラーニング（構造）技術は当業者ですでに既知で利用可能であるため、詳細な説明を略する。
【０２１３】
（封印の検出）
上述のように、ケース４１００は、所定枚数の遊技用貨幣Ｃを収容した後に封印シールによって封印される。封印は、収容された前記遊技用貨幣を取出し可能に開けると破壊される。検出装置４２００は、ケース４１００に貼られた未破壊の封印を検出する検出部を備えていてよい。検出部は、光学的又は磁気的に封印を検出するものであってよい。この場合には、判定部４２３１は、検出部にて未破壊の封印が検出されない場合には、ケース４１００に収容された複数の遊技用貨幣Ｃを不合格と判定する。
【０２１４】
（検査装置の構成要素の配置）
上記の実施の形態では、図１２に示したように、検査装置４２００のすべての構成要素が１つの装置に配置されていたが、これらが分散配置されてもよい。例えば、コンピュータ４２２２、表示部４２２３、通信部４２２４の一部又は全部が検査装置４２００に接続されたパーソナルコンピュータによって実現されてもよい。分散配置された構成要素は、有線又は無線によって通信可能に接続されてよく、間にインターネット等のネットワークを介して接続されてもよい。
【０２１５】
さらに、図３３、図３４に示すように、赤外線カメラ４２２５及び／又は可視光カメラ４２２６とアーム４２２７とを検査装置４２００とは別体として、これらのカメラをコンピュータ４２２２と接続するようにしてもよい。図３３は、赤外線カメラ４２２５又は可視光カメラ４２２６のいずれかのみが検査装置４２００とは別体で設けられる例を示しており、図３４は赤外線カメラ４２２５が検査装置４２００とは別体で設けられるとともに、可視光カメラ４２２５が検査装置４２００と一体に設けられる例を示している。なお、赤外線カメラ４２２５及び可視光カメラ４２２６に加えて、第３のカメラとして紫外線カメラが紫外線ランプとともに設けられてもよいし、図３３及び図３４のいずれかのカメラが、紫外線ランプを伴う紫外線カメラであってもよい。
【０２１６】
（貨幣情報）
上記の実施の形態では、遊技用貨幣Ｃは、ＲＦＩＤタグ４５０３に貨幣情報が記憶されており、側面にも貨幣情報としてのコード情報４５０５が表記されており、また、側面の指定色層４５０１の指定色もその遊技用貨幣Ｃの価値を表す貨幣情報として扱われ、１つの遊技用貨幣Ｃがこれらの３つの貨幣情報を有していたが、本実施の形態はこれに限られず、遊技用貨幣Ｃがこれらのうちの２つの貨幣情報のみを有していてもよい。遊技用貨幣Ｃが２つの貨幣情報を有していれば、第１ないし第５の合否判定方法を実行可能である。
【０２１７】
また、上記の第１ないし第５の合否判定方法では、２つの貨幣情報を用いたが、遊技用貨幣Ｃが３つの貨幣情報を有している場合に、判定部４２３１は、これらの３つの貨幣情報を用いて合否の判定を行ってよい。
【０２１８】
（表示部）
上記の実施の形態では、表示部４２２３が液晶パネルで構成される例を説明したが、表示部４２２３は単に合否のみを示すランプであってよく、トータル検出数４８０１、正しい遊技用貨幣Ｃの枚数４８０２、及び不正な遊技用貨幣Ｃの枚数４８０３のみをデジタル表示するランプであってもよい。
【０２１９】
（価値の総額計算）
上記の実施の形態の判定部４２３１は、上述のように、ケース４１００に収容される複数の遊技用貨幣Ｃの各価値の数を特定可能である。そこで、判定部４２３１は、さらに、この各価値の数に基づいて、ケース４１００に収容される複数の遊技用貨幣Ｃの価値の総額を計算してもよい。算出された総額は、表示部４２３３に表示される合否結果表示画面（図２４、図２５参照）において表示されてよい。
【０２２０】
＜＜第４の実施の形態＞＞
第４の実施の形態は、遊技用貨幣を検査する検査システム及び検査装置に関し、特に、無線タグの内蔵する遊技用貨幣を検査し、あるいは枚数をカウントする検査システム及び検査装置に関する。
【０２２１】
遊技用貨幣として、識別情報や種類の情報を記憶した無線タグを内蔵したものが知られている（例えば、特開２００８−２４６１０３号公報）。
【０２２２】
特開２００８−２４６１０３号公報には、無線タグが容易に取り出せない構造の遊技用貨幣が開示されている。これにより、無線タグの不良が発生し難い構造が実現されている。
【０２２３】
しかしながら、特開２００８−２４６１０３号公報に開示された遊技用貨幣の枚数を無線タグにより読み取る場合は、読み取った無線タグ情報を基に遊技用貨幣の枚数を算出するものであるので、遊技用貨幣に内蔵されている無線タグが壊れている場合や無線タグが内蔵されていない場合には、貨幣情報を取得することができず、実際の遊技用貨幣枚数と、無線タグの読み取りにより算出した遊技用貨幣枚数との間に差異が生じる、ということが問題になっている。
【０２２４】
そこで、本実施の形態は、無線タグが壊れている場合にそのことが分かるような検査システム及び検査装置を提供することを目的とする。
【０２２５】
第４の実施の形態の第１の態様の検査システムは、貨幣情報を記憶した無線タグを内蔵するとともに外面に価値を表す色または表示を有する遊技用貨幣を最大収納枚数の制限されたケースに収納した状態で検査する検査システムであって、
前記遊技用貨幣は、厚み方向に積み重ねて遊技用貨幣が列をなす状態で収容可能な前記ケースに収納され、
前記ケース内の遊技用貨幣の無線タグを読み取り、遊技用貨幣の貨幣情報を取得する読取装置と、
前記読取装置で取得された前記貨幣情報を、前記ケース自体が収納可能最大数と比較判定し、前記読取装置で取得された前記貨幣情報から得られる遊技用貨幣の数が、収納可能最大数と異なるときに前記ケース内の当該遊技用貨幣の異常を判定する判定部と、
を備えた、検査システム、である。
【０２２６】
またさらに判定部は、前記ケース自体の物理的特徴又は前記読取装置以外の物理的計測手段から得られる遊技用貨幣の物理情報と、前記読取装置で取得された前記貨幣情報から得られる遊技用貨幣の物理情報数とを比較判定し、両者が一致しない場合に、当該ケースに収容された遊技用貨幣のいずれかに異常な遊技用貨幣が存在すると判定しこれを出力する機能を備えた、ものである。
【０２２７】
さらに前記物理情報は、光学的に得られる枚数又は高さであり、あるいは計量して得る重量である。
【０２２８】
さらに前記検査システムは、遊技用貨幣が内蔵する無線タグの情報を照会可能な無線タグの情報データベースを更に有し、前記判定部は、前記読取装置が読み取った遊技用貨幣の貨幣情報を前記無線タグの情報データベースと照合して検査対象の遊技用貨幣の異常を検出可能な構成であってもよい。
【０２２９】
さらに前記判定部は、前記ケース内の遊技用貨幣のいずれかに異常な遊技用貨幣が存在すると判定した場合に、前記ケースにおける全ての遊技用貨幣の前記無線タグの情報を、あらかじめ登録された前記無線タグの情報データベースと比較判定して、前記無線タグの情報データベースに存在しない異常な無線タグの存在を特定する機能を備えた、ものであってもよい。
【０２３０】
さらに前記判定部は、前記ケースにおける遊技用貨幣のいずれかに異常な遊技用貨幣が存在すると判定した場合に、前記ケースにおけるいずれかの遊技用貨幣に、前記無線タグからの情報を得ることができない異常な遊技用貨幣が存在することを特定する機能を備えた、ものであってもよい。
【０２３１】
さらに前記判定部は、前記読取装置で取得された前記無線タグの情報を分析し、当該無線タグから得られる情報が同一である２つ以上の遊技用貨幣が前記ケース内に存在するとき、シグナルを発する機能を備えた、ものであってもよい。
【０２３２】
さらに前記無線タグの情報データベースは、遊技場内で保管中又は使用中の遊技用貨幣の無線タグの情報データベースであり、
前記判定部は、前記読取装置で取得された前記無線タグの情報を分析し、当該無線タグから得られる情報が遊技場内の他の場所に存在する遊技用貨幣の無線タグの情報と同一であるとき、シグナルを発する機能を備えた、ものであってもよい。
【０２３３】
第４の実施の形態の第２の態様の検査装置は、貨幣情報を記憶した無線タグを内蔵するとともに外面に価値を表す色または表示を有する遊技用貨幣を検査する検査装置であって、
厚み方向に積み重ねて遊技用貨幣が列をなす状態で最大積み重ね枚数の制限された状態で前記遊技用貨幣の検査が可能な検査台と、
前記列状の遊技用貨幣の無線タグを読み取り、列状の遊技用貨幣の貨幣情報を取得する読取装置と、
前記読取装置で取得された前記貨幣情報を、前記検査台自体の積み重ね可能最大数と比較判定し、前記読取装置で取得された前記貨幣情報から得られる遊技用貨幣の数が、当該積み重ね可能最大数と異なるときに前記検査台に存在する当該遊技用貨幣の異常を判定する判定部と、
を備えた、ものである。
【０２３４】
さらに前記判定部は、前記読取装置で取得された遊技用貨幣の貨幣情報が、遊技用貨幣の物理情報と一致しない場合に、当該検査台に存在する遊技用貨幣のいずれかに異常な遊技用貨幣が存在すると判定しこれを出力する機能を備えた、ものであってもよい。
【０２３５】
さらに前記物理情報は、光学的に得られる枚数又は高さであり、あるいは計量して得る重量であってもよい。
【０２３６】
さらに前記検査装置は、遊技用貨幣が内蔵する無線タグの情報を照会可能な無線タグの情報データベースを更に有し、前記判定部は、前記読取装置が読み取った遊技用貨幣の貨幣情報を前記無線タグの情報データベースと照合して前記検査台にある検査対象の遊技用貨幣の異常を検出可能な構成であってもよい。
【０２３７】
さらに前記判定部は、前記検査台の遊技用貨幣のいずれかに異常な遊技用貨幣が存在すると判定した場合に、前記検査台における全ての遊技用貨幣の前記無線タグの情報を、あらかじめ登録された前記無線タグの情報データベースと比較判定して、前記無線タグの情報データベースに存在しない異常な無線タグの存在を特定する機能を備えた、ものであってもよい。
【０２３８】
さらに前記判定部は、前記ケースにおける遊技用貨幣のいずれかに異常な遊技用貨幣が存在すると判定した場合に、前記ケースにおけるいずれかの遊技用貨幣に、前記無線タグからの情報を得ることができない異常な遊技用貨幣が存在することを特定する機能を備えた、ものであってもよい。
【０２３９】
さらに前記判定部は、前記読取装置で取得された前記無線タグの情報を分析し、当該無線タグから得られる情報が同一である２つ以上の遊技用貨幣が前記ケース内に存在するとき、シグナルを発する機能を備えた、ものであってもよい。
【０２４０】
さらに前記無線タグの情報データベースは、遊技場内で保管中又は使用中の遊技用貨幣の無線タグの情報データベースであり、
前記判定部は、前記読取装置で取得された前記無線タグの情報を分析し、当該無線タグから得られる情報が遊技場内の他の場所に存在する遊技用貨幣の無線タグの情報と同一であるとき、シグナルを発する機能を備えた、ものであってもよい。
【０２４１】
本実施の形態によれば、収納可能数が決まっているものに遊技用貨幣を収納して枚数判定を行うので、無線タグが壊れている場合にそのことが分かるような検査を行うことができる。
【０２４２】
以下、図面を参照して第４の実施の形態を説明する。
【０２４３】
＜検査システムの構成＞
図３５は、第４の実施の形態における検査システムの構成を示す図である。検査システム５１は、遊技用貨幣を重ねた状態で収容するためのケース５１００と、ケース５１００に重ねて収容された複数の遊技用貨幣をケース５１００に収容された状態のまま検査する検査装置２００とからなる。
【０２４４】
ケース５１００は、概略直方体形状を有し、透明の樹脂で構成されている。ケース５１００は、円板形状の遊技用貨幣Ｃを積み重ねた状態で収容する。ケース５１００には、２０枚の遊技用貨幣Ｃを収容するカラム５１００Ｃが５本形成されており、合計で１００枚の遊技用貨幣Ｃを収容することができる。ケース５１００は、遊技用貨幣Ｃを収容した状態で持ち運びが可能（ポータブル）である。ケース５１００は、分離可能な上部５１０１と下部５１０２とからなり、上部５１０１と下部５１０２とを分離することで、ケース５１００への遊技用貨幣Ｃの収容及びケース５１００からの遊技用貨幣Ｃの取出しが可能となる。
【０２４５】
検査装置５２００は、受入部５２１０と本体部５２２０とからなる。検査装置５２００は、この受入部５２１０にてケース５１００を受け入れることができる。受入部５２１０は、全体として概略上面と前面が開放された直方体形状をなし、左右の側壁５２１１、底部５２１２、及び奥壁５２１３によって形成され、ケース５１００がちょうど収まる幅、高さ、奥行きを有する。
【０２４６】
本体部５２２０は、受入部５２１０の奥壁５２１３の裏側に設けられ、読取装置５２２１、判定部５２２２、及び表示部５２２３を備えている。
【０２４７】
判定部５２２２には、読取装置５２２１及び表示部５２２３が接続されている。読取装置５２２１には無線タグアンテナ５２２４が接続されている。無線タグアンテナ５２２４は、読取装置５２２１から延びて、左右の側壁５２１１内で渦巻き状に延びている。すなわち、左右の側壁５２１１の各々の内部には、渦巻き状の無線タグアンテナ５２２４が敷設されており、各無線タグアンテナ５２２４は読取装置５２２１に接続されている。
【０２４８】
表示部５２２３は、液晶パネルで構成される。なお、この液晶パネルにタッチセンサが設けられ、表示部５２２３がタッチパネルとして構成されてもよい。
【０２４９】
＜検査装置の構成＞
図３６は、検査装置５２００の構成を示すブロック図である。検査装置５２００は、図３５に示した読取装置５２２１、判定部５２２２、表示部５２２３、無線タグアンテナ５２２４のほか、バーコードリーダ５２２８及び通信部５２２９を備えている。また、判定部５２２２は、図示しないプロセッサ、メモリ等によって構成され、プロセッサが検査プログラムを実行することで、識別部５２３０及び識別内容判定部５２３１が構成される。
【０２５０】
読取装置５２２１、無線タグアンテナ５２２４、及び遊技用貨幣Ｃに埋め込まれた無線タグ５５０３によって、無線タグシステムが構成される。遊技用貨幣Ｃに埋め込まれた無線タグ５５０３に記憶された遊技用貨幣Ｃの貨幣情報は、読取装置５２２１によって非接触で読み出され、判定部５２２２における処理に用いられる。
【０２５１】
バーコードリーダ５２２８は、ケース５１００に付されたバーコードＢＣを読み取ってケース識別情報を取得する。表示部５２２３は、判定部２２２の識別内容判定部５２３１の判定結果を表示する。通信部５２２９は、工場Ｆに設置された製造管理装置５３０２や遊技場Ｐに設置された情報データベース５３０３との間でデータの通信を行う。
【０２５２】
＜ケースの構成＞
図３７は、ケース５１００の斜視図である。ケース５１００は、上部５１０１と下部５１０２とが合わさって構成される。本実施の形態では、上部５１０１及び下部５１０２は、透明の樹脂でできている。なお、本実施の形態では、ケース５１００が上部５１０１と下部５１０２とからなる密閉構造であったが、光透過部分が穴あき状態となっていてもよい。
【０２５３】
ケース５１００は、上述のように、それぞれ２０枚の遊技用貨幣Ｃが重ねて収容される５本のカラム５１００Ｃが並列に形成された形状を有し、図３７の例では、上部５１０１及び下部５１０２が収容される遊技用貨幣Ｃの形状に概略沿うように、各カラムの断面が多角形（８角形）になっている。各カラム５１００Ｃは２１枚以上の遊技用貨幣Ｃは収容できない形状になっている。
【０２５４】
図３８は、変形例のケース５１００´の斜視図であり、図３９は、このケース５１００´の平面図である。ケース５１００´も透明の樹脂で構成される上部５１０１´と下部５１０２とからなる。本変形例では、カメラに面する上部５１０１´の上面が平面で形成されている。このように、カメラに面する面を平面とすることで、図３９に示すように、カメラには、ケース５１００´の多角形断面の角による線状の影が映りこまず、カメラの撮影画像に対する画像解析において、遊技用貨幣Ｃの側面の情報を正確に識別できる。
【０２５５】
（遊技用貨幣）
図４０は、本実施の形態の遊技用貨幣Ｃの側断面図である。遊技用貨幣Ｃは、複数の色の異なるプラスチックの層が積層され、少なくとも中間に指定色層（着色層）５５０１を備え、この中間の指定色層５５０１の両側に共通色層（白色又は薄色の層）５５０２を積層した多層構造となっている。
【０２５６】
指定色層５５０１は、図４０に示すように、指定色に着色された複数の層（図５８では３層）により形成されてもよい。指定色に着色された複数の層（図４０では３層）は互いに熱圧着されているので、図４０のように３層構造が目視可能な状態ではなく、図４０は説明上、指定色層５５０１の３層を表している。さらには指定色層５５０１の３層の内真ん中の層には一部くり抜きＢが設けられ、無線タグ５５０３はその中に内蔵される。
【０２５７】
検査システム５１は貨幣情報を記憶した無線タグ５５０３を内蔵するとともに外面に価値を表す色５５０１または表示５５０７を有する遊技用貨幣Ｃを最大収納枚数の制限されたケース５１００に収納した状態で検査する。遊技用貨幣Ｃは、厚み方向に積み重ねて遊技用貨幣Ｃが列をなす状態で収容可能なケース５１００に収納され、ケース５１００内の遊技用貨幣Ｃの無線タグ５５０３を読み取り、遊技用貨幣Ｃの貨幣情報を取得する読取装置５２２１と、読取装置５２２１で取得された貨幣情報を、ケース５１００自体が収納可能最大数（本実施例では最大１００枚に設定されている）と比較判定し、読取装置５２２１で取得された貨幣情報から得られる遊技用貨幣Ｃの数が、収納可能最大数（１００枚）と異なるときにケース５１００内の遊技用貨幣Ｃの異常を判定する判定部２２２とを備える。
【０２５８】
検査システム５１は、遊技用貨幣Ｃが内蔵する無線タグ５５０３の情報を照会可能な無線タグ５５０３の情報データベース５３０３を更に有し、判定部５２２２は、読取装置５２２１が読み取った遊技用貨幣Ｃの貨幣情報を無線タグ５５０３の情報データベース５３０３と照合して検査対象の遊技用貨幣Ｃの異常を検出可能な構成である。情報データベース５３０３はあらかじめ遊技場で使用する遊技用貨幣の全ての無線タグ５５０３の情報が記憶されている。
【０２５９】
判定部５２２２は、ケース５１００内の遊技用貨幣Ｃのいずれかに異常な遊技用貨幣Ｃが存在すると判定した場合に、ケース５１００における全ての遊技用貨幣Ｃの無線タグ５５０３の情報を、あらかじめ登録された無線タグ５５０３の情報データベース５３０３と比較判定して、無線タグ５５０３の情報データベースに存在しない異常な無線タグ５３０３の存在を特定する機能を備える。
【０２６０】
判定部５２２２は、ケース５１００における遊技用貨幣Ｃのいずれかに異常な遊技用貨幣Ｃが存在すると判定した場合に、ケース５１００におけるいずれかの遊技用貨幣Ｃに、無線タグ５５０３からの情報を得ることができない異常な遊技用貨幣Ｃが存在することを特定する機能を備える。
【０２６１】
表示部５２２３は、上述したような異常な遊技用貨幣Ｃが存在すると判定した場合には異常を表示する。
【０２６２】
図４２及び図４３に示すように、合否結果表示画面５８００には、識別部５２３０が遊技用貨幣Ｃから読み出した無線タグ５５０３の情報の数であるトータル検出数５８０１と、不正な遊技用貨幣Ｃの枚数５８０３とを含んでいる。
【０２６３】
図４２及び図４３は、識別内容判定部５２３１における遊技用貨幣の異常の判定の結果を示す合否結果表示画面の例を示す図である。これらの合否結果表示画面は、判定部５２２２が識別内容判定部５２３１における遊技用貨幣の異常の判定の結果に基づいて生成し、表示部５２２３にて表示される。図４２は、合格の場合の表示画面の例を示しており、図４３は、不合格の場合の表示画面の例を示している。
【０２６４】
図４４は他の変形例の検査装置５４００を示す図である。検査装置５４００は貨幣情報を記憶した無線タグ５５０３を内蔵するとともに外面に価値を表す色５５０１または表示５５０７を有する遊技用貨幣Ｃを検査する。厚み方向に積み重ねて遊技用貨幣Ｃが列をなす状態で最大積み重ね枚数の制限された状態で前記遊技用貨幣の検査が可能な検査台５４２７と、前記列状の遊技用貨幣Ｃの無線タグ５５３１を読み取り、列状の遊技用貨幣Ｃの貨幣情報を取得する読取装置５４２１と、前記読取装置５４２１で取得された前記貨幣情報を、前記検査台５４２７自体の積み重ね可能最大数（本実施例では最大２０枚に設定されている）と比較判定し、前記読取装置５４２１で取得された前記貨幣情報から得られる遊技用貨幣Ｃの数が、当該積み重ね可能最大数（２０枚）と異なるときに前記検査台５４２７に存在する当該遊技用貨幣Ｃの異常を判定する判定部５４２２と、を備えている。
【０２６５】
検査装置５４００には、遊技用貨幣Ｃが列をなす状態で最大積み重ね枚数を制限する枚数制御板５４２５を備える。
【０２６６】
検査装置５４００には光センサ５４２６があり、個別の遊技用貨幣Ｃの物理的枚数を判定する。判定部５４２２は、読取装置５４２１で取得された遊技用貨幣の貨幣情報が、遊技用貨幣Ｃの物理情報と一致しない場合に、検査台５４２７に存在する遊技用貨幣Ｃのいずれかに異常な遊技用貨幣Ｃが存在すると判定しこれを出力する機能を備える。
【０２６７】
＜検査システムの利用態様＞
図４５は、遊技用貨幣Ｃの流通とともに検査システム１の利用態様の例を説明する図である。遊技用貨幣Ｃは、工場Ｆの製造装置５３０１によって製造されて（ｓ１）、１００枚ずつケース５１００に収容される（ｓ２）。ケース５１００は、遊技用貨幣Ｃを収容した後に、工場Ｆにおいて封印シールによって封印される。また、ケース５１００には、このケース５１００を唯一に特定するためのケース識別情報を示すバーコードＢＣが側面に貼付される（ｓ３）。
【０２６８】
このとき、工場Ｆの製造管理装置５３０２には、ケース５１００に貼付されたバーコードＢＣのケース識別情報が入力される（ｓ４）。また、遊技用貨幣Ｃを収容したケース５１００は、検査装置５２００にかけられて、遊技用貨幣Ｃに付与された貨幣情報（詳細は後述する）が読み取られ、合否の検査が行われる。そして、ケース５１００に収容された遊技用貨幣Ｃから読み取られた貨幣情報は、製造管理装置５３０２に送られて（ｓ５）、製造管理装置５３０２にてケース識別情報と関連付けられる。なお、製造管理装置５３０２は、パーソナルコンピュータであってよい。
【０２６９】
工場Ｆの検査装置５２００において合格となったケース５１００は、工場Ｆから遊技場Ｐに搬送される（ｓ６）。ケース５１００は、遊技場Ｐにおいて、まず保管庫Ｒに保管される（ｓ７）。保管庫Ｒには検査装置５２００が設置されており、工場Ｆから届いたケース５１００はこの検査装置５２００で検査される。
【０２７０】
一方、工場Ｆの製造管理装置５３０２からは、ケース識別情報とそれに関連付けられた貨幣情報が遊技場Ｐの情報データベース５３０３に送信される。情報データベース５３０３は、遊技用貨幣Ｃを収容した複数のケース５１００の各々について、製造管理装置５３０２からケース識別情報とそれに関連付けられた貨幣情報を取得し、それをケース５１００ごとに記憶する記憶部を備えている。なお、情報データベース５３０３は、パーソナルコンピュータであってよい。
【０２７１】
保管庫Ｒの検査装置５２００での検査では、この情報データベース５３０３に記憶された情報を用いて検査が行われる。保管庫Ｒでの検査で合格となったケース５１００は、ゲームテーブルＴに運ばれ（ｓ９）、あるいはキャッシャＣＡに運ばれる（ｓ１０）。ゲームテーブルＴ及びキャッシャＣＡもそれぞれ検査装置５２００を備えており、遊技用貨幣Ｃを収容したケース５１００は、封印をしたままでそれらの検査装置５２００によって検査される。また、ゲームテーブルＴ及びキャッシャＣＡでは、使用済の遊技用貨幣Ｃを収容したケース５１００の検査も行われ、その検査にも検査装置５２００が用いられる。遊技場Ｐの３つの検査装置５２００における検査では、製造管理装置５３０２から送信されて情報データベース５３０３に記憶されたケース識別情報及びそれに関連付けられた貨幣情報が参照される。
【０２７２】
また、上記の実施の形態では、遊技用貨幣Ｃが無線タグ情報として、識別情報及び／又は価値の情報を有していた。ここで、識別情報は、各遊技用貨幣Ｃを唯一に特定する情報であるのに対して、価値の情報は複数の遊技用貨幣Ｃにおいて互いに重複し得る情報であり、各遊技用貨幣が所属するグループを示す情報（グループ情報）ということもできる。本実施の形態は、この所属するグループのグループ情報として、価値に代えて、又は価値に加えて、例えば、遊技用貨幣の製造時期、製造者、及び／又は使用される遊技場の情報を採用することもできる。
【０２７３】
すなわち、無線タグ情報が、当該遊技用貨幣を識別する識別情報を含んでいてよく、また当該遊技用貨幣が属するグループを示すグループ情報を含んでいてよい。
【０２７４】
（封印の検出）
上述のように、ケース５１００は、所定枚数の遊技用貨幣Ｃを収容した後に封印シールによって封印される。封印は、収容された前記遊技用貨幣を取出し可能に開けると破壊される。検出装置５２００は、ケース５１００に貼られた未破壊の封印を検出する検出部を備えていてよい。検出部は、光学的又は磁気的に封印を検出するものであってよい。この場合には、識別内容判定部５２３１は、検出部にて未破壊の封印が検出されない場合には、ケース５１００に収容された複数の遊技用貨幣Ｃを不合格と判定する。
【０２７５】
（検査装置の構成要素の配置）
上記の実施の形態では、図３６に示したように、検査装置５２００のすべての構成要素が１つの装置に配置されていたが、これらが分散配置されてもよい。例えば、判定部５２２２、表示部５２２３、通信部５２２４の一部又は全部が検査装置５２００に接続されたパーソナルコンピュータによって実現されてもよい。分散配置された構成要素は、有線又は無線によって通信可能に接続されてよく、間にインターネット等のネットワークを介して接続されてもよい。
【０２７６】
（表示部）
上記の実施の形態では、表示部５２２３が液晶パネルで構成される例を説明したが、表示部５２２３は単に合否のみを示すランプであってよく、トータル検出数５８０１、正しい遊技用貨幣Ｃの枚数５８０２、及び不正な遊技用貨幣Ｃの枚数５８０３のみをデジタル表示するランプであってもよい。
【０２７７】
（価値の総額計算）
上記の実施の形態の識別内容判定部５２３１は、上述のように、ケース５１００に収容される複数の遊技用貨幣Ｃの各価値の数を特定可能である。そこで、識別内容判定部５２３１は、さらに、この各価値の数に基づいて、ケース５１００に収容される複数の遊技用貨幣Ｃの価値の総額を計算してもよい。算出された総額は、表示部５２３３に表示される合否結果表示画面（図４２、図４３参照）において表示されてよい。
【０２７８】
＜＜第５の実施の形態＞＞
従来から遊技用貨幣の内部にＲＦタグ（無線タグ）を埋め込んで、遊技用貨幣の真贋を検査する検査システムが知られている。これらの検査システムでは、ＲＦタグの読取りができず、あるいはＲＦタグから読み取った情報が所定の情報でない遊技用貨幣（典型的には偽造された遊技用貨幣、ＲＦタグが壊れている遊技用貨幣であり、以下「不正遊技用貨幣」という。）が検知された場合に、そのことを記録装置に記録し、あるいは警報装置で警報を発するようにしている。
【０２７９】
しかしながら、遊技用貨幣は、ディーラ（カジノ）とプレイヤとの間で行き来するものであり、カジノ側が所持した遊技用貨幣を検査して不正遊技用貨幣が発見された場合に、いつどのプレイヤからカジノ側に渡されたかが分からないと不便である。
【０２８０】
そこで、本実施の形態では、不正遊技用貨幣がプレイヤからディーラに渡されたとき、ないしは渡されてからなるべく時間をおかずに、それが不正遊技貨幣であることを検知できる検査システムを提供する。
【０２８１】
このために、本実施の形態の一態様の検査システムは、ＲＦタグが内蔵された遊技用貨幣を検査する検査システムであって、カジノゲームにおいてディーラの遊技用貨幣を収容するための収容手段と、前記収容手段に収容された複数の前記遊技用貨幣のＲＦタグを読み取るＲＦ読取手段と、前記収容手段に収容された前記複数の遊技用貨幣の少なくとも数を、ＲＦＩＤ以外の方法で、一定時間間隔で、もしくは常時、検知する検知手段と、前記ＲＦ読取手段にて前記ＲＦタグが読み取られた遊技用貨幣の数と、前記検知手段で検知された遊技用貨幣の数とが一致しない場合に警報を生成する警報手段とを備えている。
【０２８２】
この構成により、ＲＦ読取手段が収容手段に収容された遊技用貨幣の数を検知し、検知手段がＲＦＩＤ以外の方法で、一定時間間隔で、もしくは常時、収容手段に収容された遊技用貨幣の数を検知し、それらが一致しない場合に警報手段が警報を生成するので、不正遊技用貨幣が収容手段に収容されたとき、あるいは収容されてから一定時間以内には、警報手段が警報を生成できる。なお、ＲＦ読取手段も一致時間間隔で、もしくは常時、ＲＦタグの読取を行ってよい。
【０２８３】
前記検知手段は、記収容手段に収容された前記遊技用貨幣の数に変化があるか否かを検知してよい。警報手段は、検知手段によって遊技用貨幣の数に変換があると検知された場合に、検知手段で検知された遊技用貨幣の数とＲＦ読取手段でＲＦタグが読み取られた遊技用貨幣の数とを比較して、両者が一致するか否かを判断してよい。
【０２８４】
前記収容手段は、カジノゲームにおいてディーラがプレイヤから遊技用貨幣を回収した際に、当該回収した遊技用貨幣を収容するのに用いられてよい。この構成により、ディーラがプレイヤから遊技用貨幣を回収した際に不正遊技用貨幣を検出することができる。
【０２８５】
前記検知手段は、前記収容手段に収容された前記複数の遊技用貨幣の各々の存在をＲＦＩＤ以外の方法で検出してよい。
【０２８６】
前記収容手段は、複数の前記遊技用貨幣を所定の積層方向に積層して収容するように構成されてよく、前記検知手段は、前記収容手段にて積層して収容された複数の前記遊技用貨幣の各々を検出するために、前記積層方向に沿って配置された複数のフォトセンサを有していてよい。
【０２８７】
前記収容手段は、前記積層方向に延在する溝を有していてよく、前記複数のフォトセンサは、前記積層方向に沿う複数の列に配置されてよく、前記遊技用貨幣は、積層順に、異なる列に配置された前記フォトセンサによって検出されてよい。
【０２８８】
前記収容手段は、前記積層方向に延在する複数列の溝を有していてよく、前記ＲＦ読取手段は、１列又は複数列の前記溝ごとに前記ＲＦタグを読み取ってよい。
【０２８９】
前記検知手段は、前記収容手段に収容された複数の前記遊技用貨幣の各々を検知する複数のフォトセンサを備えていてよい。
【０２９０】
前記検知手段は、前記収容手段に収容された複数の前記遊技用貨幣を光学的に読み取ることで、前記収容手段に収容された複数の遊技用貨幣の数を検知してよい。このような検知手段は、例えば、積層された遊技用貨幣を積層方向にスキャンする光学スキャナであってよい。
【０２９１】
前記収容手段は、所定の基準位置から積層するようにして前記複数の遊技用貨幣を収容してよく、前記検知手段は、所定の観測位置から、前記所定の基準位置から最も遠い遊技用貨幣までの距離を測定することで、前記収容手段に収容された複数の遊技用貨幣の数を検知してよい。
【０２９２】
この構成により、収容手段において積層された複数の遊技用貨幣の積層方向の高さ（長さ）によって、収容手段において積層された複数の遊技用貨幣の数を検知できる。このような検知手段は、例えば、積層方向の先に設置され、基準位置から最も遠い遊技用貨幣までの距離を測定する距離センサであってよい。
【０２９３】
前記ＲＦ読取手段は、第１の時間間隔で前記ＲＦタグの読取りを行うことで、前記収容手段に新たに遊技用貨幣が収容されてから前記第１の時間間隔以内に、当該新たに収容された遊技用貨幣を含む複数の遊技用貨幣のＲＦタグを読み取ってよく、前記検知手段は、第２の時間間隔で前記収容手段に収容された前記複数の遊技用貨幣の数を検知することで、前記収容手段に新たに遊技用貨幣が収容されてから前記第２の時間間隔以内に、当該新たに収容された遊技用貨幣を含む複数の遊技用貨幣の数を検知してよい。
【０２９４】
この構成により、収容手段に新たな遊技用貨幣が追加された場合に、第１の時間間隔以内にＲＦタグが読み取られ、第２の時間間隔以内に数が検知されるので、収容手段に新たな遊技用貨幣が追加されてから遅くとも第１の時間間隔及び第２の時間間隔のいずれか長い方の間には、ＲＦタグの読取とＲＦＩＤ以外の手段での数の検知とが完了し、必要に応じて警報を生成することができる。よって、ディーラがゲームの結果に従ってプレイヤから回収した遊技用貨幣を収容手段に収容することで、遊技用貨幣をプレイヤから回収したときに、直ちにそれらの遊技用貨幣の検査を行うことができる。
【０２９５】
本実施の形態の別の態様の検査システムは、テーブルで行うゲームに用いる遊技用貨幣を検査する検査システムであって、前記テーブルに設置され、前記ゲームごとに増減する複数の遊技用貨幣を収容するための収容手段と、前記収容手段内で前記ゲームごとに増減する前記遊技用貨幣を検査する検査手段とを備えている。
【０２９６】
本実施の形態のさらに別の態様の検査システムは、ＲＦタグが内蔵された遊技用貨幣を検査する検査システムであって、所定数の遊技用貨幣を収容可能な収容手段と、前記収容手段に収容された複数の前記遊技用貨幣のＲＦタグを読み取るＲＦ読取手段と、前記ＲＦ読取手段にて前記ＲＦタグが読み取られた遊技用貨幣の数が前記所定枚数と一致しない場合に警報を生成する警報手段とを備えている。
【０２９７】
この構成により、収容手段に収容可能な数の遊技用貨幣を収容した状態にしてＲＦ読取手段でＲＦタグを読み取り、それを収容可能な数と比較することで、ＲＦタグが読み取れない遊技用貨幣を検知して警報を生成することができる。
【０２９８】
前記遊技用貨幣が前記所定枚数に満たない場合に、前記遊技用貨幣と合わせて前記所定枚数となるように、前記遊技用貨幣と共に前記収容手段に収容される、前記ＲＦタグを内蔵したダミー貨幣をさらに備えていてよい。
【０２９９】
この構成により、収容手段が収容可能な数（収容可能数）にまで満たない数の遊技用貨幣について検査をする場合に、当該足りない分のダミー貨幣を収容手段に収容することで、ＲＦ読取手段が読み取るべきＲＦタグの数の理想値が当該収容可能数と一致しないときに、警報を生成できる。
【０３００】
本実施の形態の検査システムは、遊技用貨幣を検査する検査システムに限られず、ＲＦタグが内蔵された任意の有価物を検査する検査システムとして応用が可能である。この場合、有価物の検査システムは、個別に識別可能なユニークなＩＤが付された有価物と、前記有価物を使用するテーブルと、前記テーブルにおいて有価物を保持するトレイと、前記ユニークなＩＤを用いて前記トレイに保持されている前記有価物の数を特定する判定手段と、少なくとも前記トレイを含む前記テーブル上の前記有価物を撮影して画像を生成し、前記画像に基づいて前記有価物の少なくとも数を検知する検知手段と、前記検知手段で検知した前記数を記憶する記憶手段と、前記判定手段により判定した数と、前記検知手段で検知した数との関連を検査する検査手段とを備えている。
【０３０１】
本実施の形態の検査システムは、遊技用貨幣を検査する検査システムに限られず、ＲＦタグが内蔵された任意の物体を検査する検査システムとして応用が可能である。この場合、検査システムは、所定の場所に置かれた前記物体のＲＦタグを読み取るＲＦ読取手段と、前記所定の場所に置かれた前記物体の少なくとも数を、ＲＦＩＤ以外の方法で検知する検知手段と、前記ＲＦ読取手段にて前記ＲＦタグが読み取られた前記物体の数が前記検知手段で検知された数と一致しない場合に警報を生成する警報手段とを備えている。
【０３０２】
以下、図面を参照して、具体的な実施の形態を説明する。ただし、以下の説明は例示にすぎず、本実施の形態は以下の例に限らない。本実施の形態の検査システムで利用される遊技用貨幣には、その種類、識別情報等の情報（タグ情報）を記憶したＲＦタグが内蔵されている。本実施の形態で用いられる遊技用貨幣としては、第３〜第４の実施の形態で説明したいずれかの遊技用貨幣Ｃを採用することができる。遊技用貨幣に内蔵されたＲＦタグを後述するＲＦリーダで読み取ることで、ＲＦタグに記憶されたタグ情報を読み取ることができる。
【０３０３】
図４６は、遊技用貨幣を収容する遊技用貨幣トレイの平面図である。遊技用貨幣トレイ６１７には、遊技用貨幣Ｃをその厚さ方向に積層して収容する複数の溝６１７１が形成されている。溝６１７１は、円板状の遊技用貨幣Ｃを収容するように、半管形状に形成されている。各溝６１７１は、遊技用貨幣Ｃを４０枚収容可能であり、遊技用貨幣トレイ６１７には１４本の溝６１７１が各々縦方向に互いに平行に形成されている。
【０３０４】
各溝６１７１の内壁の右側及び左側の両側には、複数のフォトセンサ６１７３が埋め込まれている。また、図４６では図示を省略するが、各溝６１７１の内側には、ＲＦリーダのアンテナが埋め込まれている。なお、遊技用貨幣トレイ６１７は、カジノのゲームテーブルのディーラ位置の前に埋め込まれて利用される。
【０３０５】
図４７は、ＲＦリーダのアンテナ（以下、「ＲＦアンテナ」という。）６１７２を示す図である。ＲＦアンテナ６７１２は、各溝６１７１に対応して遊技用貨幣トレイ６７１の内部又は底部に設けられる。なお、図４７は、４本の溝のみを示しているが、他の溝６１７１も同様である。
【０３０６】
図４７の例では、１本の溝６１７１に対して１つのＲＦアンテナ６１７２が設けられている。ＲＦアンテナ６１７２は、対応する溝６１７１に収容された遊技用貨幣Ｃに内蔵されたＲＦタグと無線通信をしてＲＦタグからＲＦ情報を読み取る。なお、各ＲＦアンテナ６１７２が隣の溝６１７１に収容された遊技用貨幣ＣのＲＦタグを読み取らないように、隣り合う溝６１７１の間に電波遮蔽壁を設けてもよい。
【０３０７】
図４８は、溝６１７１の拡大平面図及び正面方向の断面図である。遊技用貨幣Ｃは、溝６１７１の長手方向に積み重ねられて溝６１７１内に収容される。図４８の例では、１本の溝６１７１には４０枚の遊技用貨幣Ｃを収容可能である。
【０３０８】
溝６１７１の断面半円の内壁の右側及び左側にはそれぞれ複数のフォトセンサ６７１３が、センシング面が内壁と面一になるようにして埋め込まれている。フォトセンサ６７１３は、反射型のフォトセンサであり、溝６１７１に遊技用貨幣Ｃが収容されることでセンシング面が遊技用貨幣Ｃによって塞がれると、遊技用貨幣Ｃを検出する。
【０３０９】
内壁の右側及び左側には、それぞれ、遊技用貨幣Ｃの２枚の厚さ分のピッチを開けて、複数のフォトセンサが配列されている。本例では、上述のように１本の溝６１７１に４０枚の遊技用貨幣Ｃが収容可能であるので、右側に２０個のフォトセンサ６１７３が設けられ、左側に２０個のフォトセンサ６１７３が設けられる。
【０３１０】
右側の複数のフォトセンサ６１７３の列と左側の複数のフォトセンサ６１７３の列とは、遊技用貨幣Ｃの１枚の厚さ分だけ、その配列方向にずれて設けられている。よって、溝６１７１に積み重ねられて収容される複数の遊技用貨幣Ｃは、積層順に異なる列に配置されたフォトセンサ６１７３によって検出される。具体的には、溝６１７１の最下位置に収容される遊技用貨幣Ｃは右側の最下のフォトセンサ６１７３によって検出され、下から２番目の遊技貨幣は左側の最下のフォトセンサ６１７３によって検出され、下から３番目の遊技用貨幣Ｃは右側の下から２番目のフォトセンサ６１７３によって検出され、下から４番目の遊技用貨幣Ｃは左側の下から２番目のフォトセンサ６１７３によって検出され、このようにして下から順に右側のフォトセンサ６１８３と左側のフォトセンサ６１７３とが交互に遊技用貨幣Ｃを検出する。
【０３１１】
このように複数のフォトセンサ６１７３を異なる列に交互に配置することで、溝６１７１に厚さ方向に積み重ねて収容される複数の遊技用貨幣Ｃを１枚ごとによみとる複数のフォトセンサ６１７３を配置させることができる。
【０３１２】
図４９は、検査システムの全体構成を示す図である。図４９に示すように、検査システム６００は、ＲＦアンテナ６１７２を備えたＲＦリーダ６１００と、複数のフォトセンサ６１７３と、ＲＦリーダ６１００及び複数のフォトセンサ６１７３に接続された検査・警報部６２００と、検査・警報部６２００に接続された記憶部６３００とを備えている。検査・警報部６２００は、プロセッサとメモリを備えたコンピュータによって構成され、プロセッサが本実施の形態の検査・警報プログラムを実行することで、実現される。
【０３１３】
ＲＦリーダ６１００は、ＲＦアンテナ６１７２で遊技用貨幣ＣのＲＦタグから電波を受信して、ＲＦタグに記憶された情報（タグ情報）を読み取る。ＲＦリーダは、読み取ったタグ情報を検査・警報部６２００に出力する。図４７に示したように、検査システム６００には複数のＲＦアンテナ６１７２が備えられているが、これらの複数のＲＦアンテナ６１７２が１つのＲＦリーダ６１００に接続されていてもよいし、複数のＲＦアンテナ６１７２に対応する複数のＲＦリーダ６１００が設けられてもよい。
【０３１４】
複数のフォトセンサ６１７３は、各々検査・警報部６２００に接続され、センシング情報を検査・警報部６２００に送信する。各フォトセンサ６１７３のセンシング情報は、遊技用貨幣Ｃの有無を示す情報である。
【０３１５】
検査・警報部６２００は、ＲＦリーダ６１００で読み取られたタグ情報の数と、複数のフォトセンサ６１７３から得られた遊技用貨幣Ｃの検出情報の数とを比較する。この場合に、検査・警報部６２００は、タグ情報が真正のものであるか否かを判断して、真正のものと判断したタグ情報の個数のみを、フォトセンサ６１７３の検出情報の数と比較してもよい。
【０３１６】
遊技用貨幣トレイ６１７に収容された複数の遊技用貨幣のすべてに真正のＲＦタグが内蔵されている場合には、ＲＦリーダ６１００で読み取ったタグ情報の数とフォトセンサ６１７３で検出した遊技用貨幣Ｃの数とが一致するはずである。よって、検査・警報部６２００は、これらの数が一致するか否かを判断し、一致しない場合には警報を生成する。
【０３１７】
生成された警報は図示しない警報手段によって人が知覚可能な方式で出力される。例えば、警報手段がスピーカである場合には、検査・警報部６２００は、警報として、スピーカから所定の警報音を出力するための信号を生成する。警報手段がランプである場合には、検査・警報部６２００は、警報として、ランプを点灯するための信号を生成する。
【０３１８】
ＲＦリーダ６１００は所定の時間間隔（例えば１秒間隔）でタグ情報の読取を行う。また、フォトセンサ６１７３も所定の時間間隔（例えば２秒間隔）で検出を行う。なお、ＲＦリーダ６１００及びフォトセンサ６１７３は常に読取り、検出を行ってもよい。
【０３１９】
また、ＲＦリーダが所定の時間間隔で、又は常に、タグ情報の読取を行い、検査・警報部６２００で、読み取った複数のタグ情報に変化が生じるか否かを判断し、変化した場合に、検査・警報部６２００の制御に従ってフォトセンサ６１７３で検出を行うようにしてもよい。逆に、複数のフォトセンサ６１７３で、所定の時間間隔で、又は常に、遊技用貨幣Ｃの検出を行い、検査・警報部６２００にて、検出された遊技用貨幣Ｃの数が変化するかを判断し、変化した場合に検査・警報部６２００の制御に従ってＲＦリーダ６１００でタグ情報の読取を行うようにしてもよい。
【０３２０】
検査・警報部６２００にて警報が生成されると、警報手段は直ちに警報を出力する。これによって、不正遊技用貨幣が遊技用貨幣トレイ６１７に収容されたら所定時間以内に、あるいは直ちに警報が出力されることになる。よって、不正遊技用貨幣が、そのときテーブルでプレイをしているいずれかのプレイヤから持ち込まれたことを把握できる。また、その後のゲームをいったん中止して、それ以上不正遊技用貨幣が使用されることを防止することも可能である。場合によっては、そのテーブルでプレイしているプレイヤの内から不正遊技用貨幣を持ち込んだプレイヤを特定することもできる。
【０３２１】
検査・警報部６２００は、検査（比較）の結果及び生成した警報を日時の情報とともに記録部６３００に記録する。
【０３２２】
図５０は、遊技用貨幣トレイの他の例を示す平面図である。図５０の例では、遊技用貨幣Ｃを収容する縦方向の複数の溝（ストック溝）６１７１に加えて、それらの上方に、ディーラがプレイヤから回収した遊技用貨幣Ｃを収容するのに用いる横向きの溝（回収溝）６１７４が設けられている。また、図５０の例では、ストック溝６１７１にはフォトセンサ６１７３が設けられず、回収溝６１７４に図４８と同様の配置でフォトセンサ６１７３が埋め込まれ、回収溝６１７４の下にＲＦアンテナ６１７２（不図示）が埋め込まれる。
【０３２３】
回収溝６１７４に収容される遊技用貨幣Ｃの数はゲームごとに増減する。よって、回収溝６１７４にフォトセンサ６１７３とＲＦアンテナ６１７２を設けて、検査のインターバルを十分に短くすることで、ゲームごとに、プレイヤから回収した直後の遊技用貨幣Ｃについて検査を行うことができ、不正遊技用貨幣が検出された場合には、それを所持していた者を特定したり、ゲームを中断したりすることができる。なお、回収溝６１７４に一定数以上又は収容可能数の遊技用貨幣Ｃが収容された場合には、それらの一部または全部をストック溝６１７１に移してよい。
【０３２４】
図５１は、遊技用貨幣トレイのさらに他の例を示す平面図である。図５１の例では、回収溝６１７５が右端に縦向きに設けられている。そして、この回収溝６１７５にフォトセンサ６１７３とＲＦアンテナ６１７２（不図示）が設けられる。
【０３２５】
図５２は、遊技用貨幣トレイのさらに他の例を示す平面図である。図５２の例では、縦方向の溝が、それぞれ２０枚の遊技用貨幣Ｃを収容可能な上下２段の溝６１７６、６１７７に分かれている。各溝６１７は、２０枚の遊技用貨幣Ｃを収容できる。各溝６１７には図４６の例と同様に、左右の両側に交互にフォトセンサ６１７３が設けられる。この例の遊技用貨幣トレイ６１７によれば、積み重ねる遊技用貨幣Ｃの枚数が少ないので、積み重ねて収容された遊技用貨幣Ｃとフォトセンサ６１７３とのずれが大きくなることを避けることができる。
【０３２６】
これらの図５１及び図５２の例においても、回収溝にフォトセンサ６１７３とＲＦアンテナ６１７２が設けられるので、遊技用貨幣Ｃについて回収直後に検査をすることができる。
【０３２７】
図５３は、ＲＦアンテナの他の構成を示す図である。上記の第５の実施の形態では、１つの溝６１７１に対して１つのＲＦアンテナが設けられたが、図５３に示すように、１つのＲＦアンテナ６１７２が複数の溝６１７１に収容される遊技用貨幣ＣのＲＦタグを読み取るように構成、配置されていてもよい。
【０３２８】
上記の第５の実施の形態では、遊技用貨幣Ｃの検査をするのに、ＲＦリーダ６１００でＲＦタグを読み取った遊技用貨幣Ｃの数と、ＲＦＩＤ以外の物理的な手段で検出された遊技用貨幣Ｃの数とが一致するか否かを判断することで、ＲＦタグを有しない、あるいはＲＦタグが破損している不正遊技用貨幣を検出した。そして、ＲＦＩＤ以外の手段で物理的に遊技用貨幣Ｃの枚数を検知する手段として、遊技用貨幣の有無を１枚ずつ検出する複数のフォトセンサ６１７３を用いた。
【０３２９】
しかしながら、ＲＦＩＤ以外の手段で遊技用貨幣Ｃの枚数を物理的に検知する手段は、複数のフォトセンサに限られない。以下、検知手段の他の例を説明する。
【０３３０】
図５４は、検知手段としてラインセンサを用いる遊技用貨幣トレイの１つの溝を示す図である。図５４に示すように、溝６１７１の内壁の底には、溝６１７１の長手方向に延びるスリット６１７８が形成されており、スリット６１７８の下にはスリット６１７８に沿ってラインセンサ６１７９が設けられている。ラインセンサ６１７９の長手方向の画素ピッチは、遊技用貨幣Ｃの厚さより小さく設定される（ラインセンサ６１７９の長手方向の画素数は溝６１７１の遊技用貨幣Ｃの収容枚数より十分に大きく設定される）。
【０３３１】
図５５は、図５４の例の検査システム６００の全体構成を示す図である。ラインセンサ６１７９は、検査・警報部６２００に接続されている。ラインセンサ６１７９は、撮影を行うことでライン画像を取得する。ラインセンサ６１７９は、取得したライン画像を検査・警報部６２００に出力する。検査・警報部６２００は、ライン画像に基づいて、下からどこまで遊技用貨幣Ｃがあるかを判断することで、溝６１７１に収容されている遊技用貨幣Ｃの枚数を検知する。
【０３３２】
検査・警報部６２００は、ＲＦリーダ６１００で読み取られたタグ情報の数と、ライン画像から検知された遊技用貨幣Ｃの枚数とを比較することで検査を行い、それらの数が一致していない場合には警報を生成する。記録部６３００は、検査・警報部６２００における検査の結果及び生成された警報を記録する。
【０３３３】
図５６は、検知手段としてスキャナを用いる遊技用貨幣トレイの１つの溝を示す図である。図５６に示すように、溝６１７１の内壁の底には、溝６１７１の長手方向に延びるスリット６１７８が形成されており、スリット６１７８の下にはスリット６１７８に沿ってレール６１８１が設けられている。このレール６１８１の上を撮像素子６１８０が移動することでスキャナが構成される。
【０３３４】
図５７は、図５６の例の検査システム６００の全体構成を示す図である。撮像素子６１８０は、検査・警報部６２００に接続されている。撮像素子６１８０は、レール６１７８を移動しながら撮影を行い、レール上の位置の情報とその位置での撮影画像を検査・警報部６２００に出力する。検査・警報部６２００は、撮像素子６１８０がレール６１８１上を一端から他端まで一方向に移動しながら撮影してえられた複数の撮影画像について、遊技用貨幣Ｃの有無を判断することで、溝６１７１に収容された遊技用貨幣Ｃの枚数を検知する。
【０３３５】
図５８は、検知手段としてレーザ測距器を用いる遊技用貨幣トレイの１つの溝を示す図である。図５８に示すように、溝６１７１の上端にはレーザ測距器６１８２が設けられている。レーザ測距器６１８２のレーザは、溝６１７１の長手方向に平行になるように設定されている。溝６１７１に、下から順に積み重ねて遊技用貨幣Ｃが収容されると、レーザ測距器６１８２から発射されるレーザは、最上位の遊技用貨幣Ｃの表面で反射してレーザ測距器６１８２に戻る。よって、レーザ測距器６１８２は、溝６１７１の上端を観測位置、下端を基準位置として、観測位置から、基準位置から最も遠い遊技用貨幣Ｃ（最も上に積み上げられた遊技用貨幣Ｃ）までの距離を測定する。
【０３３６】
図５９は、図５８の例の検査システム６００の全体構成を示す図である。レーザ測距器６１８２は、検査・警報部６２００に接続されており、測定した距離を検査・警報部６２００に出力する。溝６１７１に収容される遊技用貨幣Ｃの枚数が多くなるほど測定される距離が小さくなるので、検査・警報部６２００は、レーザ測距器６１８２が測定した距離に基づいて、溝６１７１に収容されている遊技用貨幣Ｃの枚数を検知する。
【０３３７】
図６０は、検知手段として重量計を用いる遊技用トレイの１つの溝を示す図である。図２１に示すように、溝６１７１は、重量計６１８３に載せられている。溝６１７１に遊技用貨幣Ｃが収容されると、重量計６１８３で計測される重量が増加する。
【０３３８】
図６１は、図６０の例の検査システム６００の全体構成を示す図である。重量計６１８３は、検査・警報部６２００に接続されており、計測した重量を検査・警報部６２００に出力する。溝６１７１に収容される遊技用貨幣Ｃの枚数が多くなるほど計測される重量が大きくなるので、検査・警報部６２００は、重量計６１８３が計測した重量に基づいて、溝６１７１に収容されている遊技用貨幣Ｃの枚数を検知する。
【０３３９】
上記の例では、いずれもＲＦＩＤ以外の手段で溝６１７１に収容された遊技用貨幣Ｃの枚数を検知する検知手段を設けたが、この検知手段がなくてもよい。溝６１７１には、遊技用貨幣Ｃを収容できる最大枚数が決まっているので、溝６１７１に最大枚数の遊技用貨幣Ｃを収容した状態でＲＦタグの読取りを行えば、その際に物理的に存在する遊技用貨幣Ｃの枚数は最大枚数として既知である。
【０３４０】
よって、検査・警報部６２００は、ＲＦリーダでタグ情報が読み取られた遊技用貨幣Ｃの枚数と、既知の最大枚数とを比較することで、ＲＦタグを内蔵しない、又はＲＦタグが破損している不正遊技用貨幣を検出することができる。
【０３４１】
但し、検査をする溝６１７１に常に最大枚数の遊技用貨幣Ｃを収容できるとは限らない。そこで、ダミー貨幣としてのスペーサを用いて、溝６１７１の空いている部分を埋めるようにしてよい。スペーサは、遊技用貨幣Ｃと同じ形状（円板形状）のもののほか、積み重なった複数の遊技用貨幣Ｃと同じ形状（円柱形状）のものを用意してよい。
【０３４２】
図６２は、スペーサによって溝の空いているスペースを埋めた状態を示す図である。この溝６１７１は４０枚の遊技用貨幣Ｃを収容可能であり（最大収容枚数は４０であり）、この溝６１７１に３０枚の遊技用貨幣Ｃが収容されている。１０枚分の空きスペースを埋めるために、１つの５枚分のスペーサ６１８４、１つの３枚分のスペーサ６１８４、２つの１枚分のスペーサ６１８４が溝６１７１に収容されている。
【０３４３】
スペーサ６１８４には、その枚数分のＲＦタグが内蔵されている。例えば、５枚分のスペーサ６１８４には５つのＲＦタグが内蔵されており、３枚分のスペーサ６１８４には３つのＲＦタグが内蔵されており、１枚分のスペーサ６１８４には１つのＲＦタグが内蔵されている。
【０３４４】
よって、溝６１７１に収容された３０枚の遊技用貨幣Ｃがすべて真正であるとすると、ＲＦリーダ６１００は、スペーサ６１８４に内蔵されたＲＦタグも含めて、４０のタグ情報を読み取ることになる。検査・警報部６２００は、ＲＦリーダ６１００が読み取ったタグ情報の数がこの所定値、即ち溝６１７１の遊技用貨幣Ｃの収容可能枚数と一致しない場合には、不正遊技用貨幣が存在すると判断して警報を生成する。
【０３４５】
図６３は、図６２の例の検査システム６００の全体構成を示す図である。上述のように、図６２の例の場合には検知手段は不要であるが、任意のタイミングで検査が行われると、溝６１７１に空きスペースが生じていることがあり、ＲＦリーダ６１００で所定数のタグ情報を読み取れず、警報が生成されてしまうことがある。よって、図６３の例では、検査・警報部６２００にて検査を行うことを指示するためのスイッチ６１８５を設けた。スイッチ６１８５は、押されることでＯＮ信号を発生させる。
【０３４６】
スイッチ６１８５は、検査・警報部６２００に接続され、ＯＮ信号を検査・警報部６２００に出力する。検査・警報部６２００は、スイッチ６１８５からＯＮ信号を受けると、ＲＦリーダ６１００に読取りの実行を指令する。
【０３４７】
ディーラは、ゲームに負けたプレイヤから遊技用貨幣Ｃを回収すると、溝６１７１に収容し、空きスペースにスペーサ６１８４を収容して、溝６１７１の空きスペースがなくなった状態となったら、スイッチ６１８５を押す。そうすると、ＲＦリーダ６１００はＲＦタグの読取りを実行して、検査・警報部６２００は、読み取られたタグ情報の数が所定値と一致するか否かを判断することで検査を行う。
【０３４８】
第５の実施の形態では、カジノゲームに用いる遊技用貨幣を検査するシステムを説明したが、検査する対象は遊技用貨幣Ｃ以外の有価物であってもよい。また、遊技用貨幣には、ＲＦタグが埋め込まれていたが、他の方法によって個別に識別可能なユニークなＩＤが付されていてもよい。
【０３４９】
また、第５の実施の形態では、ＲＦＩＤ以外の手段で遊技用貨幣Ｃの数を検知する手段として種々説明したが、遊技用貨幣Ｃの数を検知する手段は、不正遊技用貨幣も含めてプレイヤやディーラが遊技用貨幣Ｃであると認識するままにその数を検知する手段であればよく、例えば、以下に説明する例のように、遊技用貨幣トレイ６１７に収容された遊技用貨幣Ｃをカメラで撮影して、その画像に基づいて枚数を検知する手段であってもよい。
【０３５０】
さらに、検査システムは、有価物以外の物体を検査するものであってもよい。
【０３５１】
図６４は、ＲＦタグを内蔵した物体を検査する検査システムの全体構成を示す図である。検査システム６００１は物体を置くための台Ｂを備えている。台Ｂに置かれた物体は、カメラ６４００によって撮影され、撮影画像が生成される。カメラ６４００は検査・警棒部６２００に接続されており、撮影画像は検査・警報部６２００に出力される。検査・警報部６２００は、ディープラーニングによって学習されたニューラルネットワークを備え、このニューラルネットワークによって、撮影画像から物体がいくつあるかを認識することで、物体の数を検知する。
【０３５２】
また、台ＢにはＲＦアンテナ６１７２が内蔵されている。台Ｂに置かれた物体に内蔵されたＲＦタグは、ＲＦアンテナ６１７２に電波を送信し、ＲＦリーダ６１００がタグ情報を読み取る。
【０３５３】
検査・警報部６２００は、ＲＦリーダ６１００で読み取られたタグ情報の数と、ニューラルネットワークで認識された物体の数とを比較し、両者が一致しない場合に警報を生成する。このように、ＲＦＩＤ以外の手段であるカメラ６４００によって、真偽は不明だが存在する物体の数を検知し、一方で、それらの物体のＲＦタグを読み取り、読み取られたタグ情報の数と、カメラ６４００によって検知された数とを比較することで、ＲＦタグ情報が読み取れない物体を検出することができる。
【図１】
2018092501.tif 000003
【図２】
2018092501.tif 000004
【図３】
2018092501.tif 000005
【図４】
2018092501.tif 000006
【図５】
2018092501.tif 000007
【図６】
2018092501.tif 000008
【図７】
2018092501.tif 000009
【図８】
2018092501.tif 000010
【図９】
2018092501.tif 000011
【図１０】
2018092501.tif 000012
【図１１】
2018092501.tif 000013
【図１２】
2018092501.tif 000014
【図１３】
2018092501.tif 000015
【図１４】
2018092501.tif 000016
【図１５】
2018092501.tif 000017
【図１６】
2018092501.tif 000018
【図１７】
2018092501.tif 000019
【図１８】
2018092501.tif 000020
【図１９】
2018092501.tif 000021
【図２０】
2018092501.tif 000022
【図２１】
2018092501.tif 000023
【図２２】
2018092501.tif 000024
【図２３】
2018092501.tif 000025
【図２４】
2018092501.tif 000026
【図２５】
2018092501.tif 000027
【図２６】
2018092501.tif 000028
【図２７】
2018092501.tif 000029
【図２８】
2018092501.tif 000030
【図２９】
2018092501.tif 000031
【図３０】
2018092501.tif 000032
【図３１】
2018092501.tif 000033
【図３２】
2018092501.tif 000034
【図３３】
2018092501.tif 000035
【図３４】
2018092501.tif 000036
【図３５】
2018092501.tif 000037
【図３６】
2018092501.tif 000038
【図３７】
2018092501.tif 000039
【図３８】
2018092501.tif 000040
【図３９】
2018092501.tif 000041
【図４０】
2018092501.tif 000042
【図４１】
2018092501.tif 000043
【図４２】
2018092501.tif 000044
【図４３】
2018092501.tif 000045
【図４４】
2018092501.tif 000046
【図４５】
2018092501.tif 000047
【図４６】
2018092501.tif 000048
【図４７】
2018092501.tif 000049
【図４８】
2018092501.tif 000050
【図４９】
2018092501.tif 000051
【図５０】
2018092501.tif 000052
【図５１】
2018092501.tif 000053
【図５２】
2018092501.tif 000054
【図５３】
2018092501.tif 000055
【図５４】
2018092501.tif 000056
【図５５】
2018092501.tif 000057
【図５６】
2018092501.tif 000058
【図５７】
2018092501.tif 000059
【図５８】
2018092501.tif 000060
【図５９】
2018092501.tif 000061
【図６０】
2018092501.tif 000062
【図６１】
2018092501.tif 000063
【図６２】
2018092501.tif 000064
【図６３】
2018092501.tif 000065
【図６４】
2018092501.tif 000066
【国際調査報告】
2018092501.tif 000067
2018092501.tif 000068
2018092501.tif 000069
2018092501.tif 000070